(57)【要約】  本発明は、統合制御サブシステムを備える炭素質原料ガス化システムを提供するものである。前記システムは、概して、一つ以上の処理ゾーンおよび一つ以上のプラズマ熱源を有するガス化反応槽（もしくは変換器）と、固形残渣取り扱いサブシステムと、ガス質調整サブシステムと、総体的な炭素質原料のエネルギー変換に関するエネルギー収支を管理し、最適な設定点において、ガス化処理のすべての側面を維持するための統合制御サブシステムとを、様々な組み合わせで備える。前記ガス化システムはまた、熱回収サブシステムおよび／または生成ガス制御サブシステムを任意に備えていてもよい。
2008545840.tif 000002
【特許請求の範囲】
【請求項１】
炭素原材料から特定の構成のガスへ変換するためのシステムであって、
ひとつ以上の熱処理ゾーンと、
一つ以上のプラズマ熱源と、
調整可能な炭素質原料供給速度で炭素質原料をガス化反応槽に加えるための、一つ以上の炭素質原料入力手段と、
調整可能な処理添加物供給速度で処理添加物をガス化反応槽に加えるための、一つ以上の処理添加物入力手段と、
調整可能な炭素を多く含む材料添加物の供給速度で炭素を多く含む材料添加物をガス化反応槽に加えるための、一つ以上の炭素を多く含む材料の添加物入力手段と、
出力ガスのための一つ以上の排気口とを備えるガス化反応槽と、
固形残渣取り扱いサブシステムと、
ガス質調整サブシステムと、
データを生成する一つ以上のシステムパラメーターを測定するためのシステム監視手段と、
前記システム監視手段によって生成された前記データを収集および分析するための演算手段と、
システム全体に配置されている一つ以上のシステム制御装置に変化をもたらす、適切な信号を送るための出力手段とを備える統合制御システムを含み、
前記制御システムは、前記一つ以上のシステムパラメーターを監視し、前記一つ以上のシステム制御装置に変化をもたらす、前記適切なシステム調整装置へと信号を送り、それによって特定の構成の生成ガスを作り出す、石炭から特定の構成のガスへ変換するためのシステム。
【請求項２】
熱回収サブシステムであって、一つ以上のガス／空気熱交換器を含む熱回収サブシステムと、生成ガスを前記一つ以上のガス／空気熱交換器へと伝送する手段であって、前記一つ以上の出力ガス排気口と流体連通する伝送手段とをさらに備える、請求項１に記載のシステム。
【請求項３】
前記熱回収サブシステムは、一つ以上の熱回収蒸気発生器と、前記一つ以上の熱回収蒸気発生器へ、生成ガスを伝送するための手段とを含む、請求項２に記載のシステム。
【請求項４】
ガス質調整サブシステムは、粒状物質除去手段、酸性ガス除去手段、重金属除去手段、および、前記ガス質調整サブシステムを通る時に、前記ガスの湿気および温度を調整するための手段のうちの一つ以上を含む、請求項１および２に記載のシステム。
【請求項５】
生成ガス制御サブシステムをさらに備える、請求項１から４のいずれかに記載のシステム。
【請求項６】
前記生成ガス制御サブシステムが均質化タンクである、請求項５に記載のシステム。
【請求項７】
前記処理添加物入力手段が、一つ以上の蒸気吸気口、一つ以上の酸化吸気口、もしくはその両方である、請求項１から６のいずれかに記載のシステム。
【請求項８】
前記酸化剤が、空気、酸素、または酸素富化空気である、請求項７に記載のシステム。
【請求項９】
前記固形残渣取り扱いサブシステムが、固形残渣調整チャンバー、プラズマ加熱手段、およびスラグ出力手段を含む、請求項１から８のいずれかに記載のシステム。
【請求項１０】
炭素質原料から特定の構成を有する生成ガスへ変換するための処理であって、
炭素質原料入力速度で、前記炭素質原料をガス化ゾーンへと運ぶステップと、
処理添加物入力速度で、処理添加物を前記ガス化ゾーンへと運ぶステップと、
炭素を多く含む材料の添加物入力速度で、炭素を多く含む材料の添加物を前記ガス化ゾーンへと運ぶステップと、
オフガスおよび副生成物灰を提供するため、前記炭素質原料を加熱に供するステップと、
改質ゾーンへと前記オフガスを運ぶステップと、
プラズマ熱源で前記オフガスを加熱するステップと、
前記オフガスを合成ガスへと変換するため、蒸気入力速度で前記オフガスに蒸気を加えるステップとを有する方法。
【請求項１１】
前記副生成物灰を融解ゾーンへと運ぶステップと、
前記副生成物灰をスラグに変換し、前記スラグを溶融状態に維持するため、スラグ調整プラズマ熱源によって前記副生成物灰を加熱に供するステップと、
溶解ゾーンから前記溶融スラグを排出するステップと、
硝子体スラグを提供するため、前記溶融スラグを冷却させるステップとを有する、請求項１０に記載の処理。
【請求項１２】
前記生成ガスの構成を監視するステップ、前記生成ガスの流れを監視するステップ、および前記生成ガス温度を監視するステップのうちの１つ以上を含む補正フィードバック手順をさらに備える、請求項１０または１１に記載の処理。
【請求項１３】
前記補正フィードバック手順は、特定の生成ガス構成を提供するため、一つ以上の炭素質原料入力速度、前記炭素を多く含む材料の添加物供給速度、前記酸素入力速度、および前記蒸気入力速度のうちの１つ以上を調整するステップをさらに含む、請求項１２に記載の前記処理。
【請求項１４】
前記補正フィードバック手順は、合成ガス構成の測定された変化に対処する、一つ以上の炭素質原料入力速度、前記炭酸材料添加物供給速度、前記酸素入力速度、および前記蒸気入力速度のうちの１つ以上を調整するステップをさらに含む、請求項１２に記載の前記処理。
【発明の詳細な説明】
【発明の詳細な説明】
【０００１】
［発明の技術分野］
本発明は、炭素質原料のガス化に関し、特に炭素質原料を特定の構成を有するガスへと変換するための処理および装置に関する。
［発明の背景］
ガス化は、炭素質原料と呼ばれる炭素ベースの原料から可燃性もしくは合成ガス（例：Ｈ2、ＣＯ、ＣＯ2、ＣＨ4）の生成を可能にする処理である。ガスは、電気または薬品および液体燃料から生成する基本原料として使用される。この処理によって、発電または薬品メーカーのための主要な要素および輸送燃料として使用されるガスの生成が可能になる。
【０００２】
特に、ガスは以下のために使用される：内部処理および／または外部処理目的のために蒸気生成に使用されるボイラー内の燃焼；蒸気タービンによる発電；発電のためのガスタービンもしくはガスエンジン内での直接燃焼；燃料電池；メタノールおよび他の液体燃料の生成；プラスチックや化学肥料のような化学物質の生成のための追加原料；離散産業燃料ガスとしての水素および一酸化炭素の抽出；必要に応じた他の産業必要熱量。
【０００３】
ガス化処理のための有効な原料は、いかなる炭素質原料であってよいため、原料の種類は、多岐にわたる。有効な原料は、廃棄物、石炭、石油、コークス、重油、バイオマス、農業廃棄物を含むが、これらに限定されない。
【０００４】
概して、ガス化処理は、制御および制限された酸素および蒸気量とともに、炭素含有材料を熱室（ガス化装置）へ注ぐことから成る。ガス化装置内の状態によって形成される高運転温度において、化学結合は熱エネルギーおよび部分的な酸化によって破壊され、無機鉱物質は融解されたスラグと呼ばれるガラス様物質の形状へと溶解もしくは陶化される。
【０００５】
ガス化（炭素質原料からオフガス、その後合成ガスへの完全な変換）は高温または低温、高圧または低圧、および一段またはいくつかの程度に分離された段階において、特定の反応が別のものよりも好まれる方法による条件（温度、処理添加物）のもとで処理される。ひとつのチャンバーまたはひとつのチャンバー内の複数の領域、もしくは複数のチャンバーにおいて発生する可能性がある。原料はガス化反応器を通って進む際、反応器および原料の構成によって、順次または同時に、物理的、化学的、および熱処理が発生する。原料が加熱され、その温度が上昇するときに乾燥し、水は最初の蒸発成分となる。
【０００６】
乾燥原料の温度が上昇すると、熱分解が行われる。原料が炭化物に変換中、熱分解され、タール、フェノールおよび軽揮発炭化水素ガスを放出する。原料の複製起点によって、揮発性はＨ2Ｏ、Ｈ2、Ｎ2、Ｏ2、ＣＯ2、ＣＯ、ＣＨ4、Ｈ2Ｓ、ＮＨ3、Ｃ2Ｈ6およびアセチレン、オレイン、芳香族化合物、タールのような低レベルの不飽和炭化水素を含んでいてもよい。一旦炭素質原料がガス状態に変換されると、硫黄化合物や灰といった不適切な物質がガスから除去することができる。
【０００７】
炭化物は、有機および無機物質から成る残留物を含む。熱分解後、炭化物は乾燥原料よりも炭素濃度が高く、活性炭を供給することができる。
ガス化製品は、炭化物内の炭素と槽内の蒸気、ＣＯ2およびＨ2との間で起こる化学反応、同様に、結果として生じたガスの間で起こった化学反応の結果である。ガス化反応は、熱（熱分解）によって発生する。反応チャンバーを熱するために電気または化石燃料（例：プロパン）を加える、または反応に熱を供給する、発熱ガス化反応を促す反応物質として空気を加えることによってその反応を促すことができる。いくつかのガス化処理はまた間接加熱を利用し、ガス化反応器における供給材料の燃焼を回避し、窒素および余剰二酸化炭素による生成ガスの希釈を回避する。
【０００８】
ガス化を遂行する手段には多様な方法があり、反応器内の大気（酸素濃度、または空気もしくは水蒸気含有量）；反応器の設計；内部および外部加熱手段；処理に対する運転温度の４つの工学的要素に依存している。製品には、水素ガス（合成ガスとも呼ばれる）、炭化水素液（油）および炭化物（カーボンブラックおよび灰）が含まれる。
【０００９】
ガス化システムの中にはプラズマ技術を採用するものもある。プラズマは物質の第四状態であり、（例えば、放電の結果発生した）イオンガスである。プラズマトーチは、分子を構成原子まで分解するほどの高温までガス分子を加熱する。処理熱は、プラズマ発生器に残った原子の熱流から回収され、いくつかの原子が再結合し始めるところまで、原子流の温度は下げられる。化学量的に酸素内に入力ガスが不足しているため、大量の一酸化炭素を生成するのに十分な酸素は存在するが、大量の二酸化炭素を生成するのには不十分である。
【００１０】
プラズマアークトーチで到達可能な非常に高い温度（３０００から７０００℃）により、いかなる形状または組み合わせの液体・ガス・固体を含んだ、受け取ったままの状態の廃棄物を含んだいかなる入力原料も実質上適応できるガス化処理が可能になる。原料は、家庭電化製品、タイヤ、ベッドスプリングのような巨大都市固形廃棄物（ＭＳＷ）から、低濃度の放射性廃棄物のような廃棄物までにおよぶ。
【００１１】
プラズマトーチ（技術）は、すべての反応が同時に起こるように位置付けるか、またはそれらが順次に起こるように反応槽内に位置付けることができる。いずれの構造においても、熱分解処理の温度は、プラズマトーチ（技術）の反応器内への封入により上昇する。
【００１２】
ガス化を遂行する手段には多様な方法があるが、４つの工学的要素に依存している。反応器内の大気（酸素濃度、空気もしくは水蒸気含有量）；反応器の設計；加熱システムの設計；処理に対する運転温度。生成ガスの質に影響を与える要素は以下を含む：原料構成、製剤および粒子サイズ；反応器加熱速度；滞留時間；乾燥またはスラリー供給システムを用いるか、原料反応流量配置、乾燥灰またはスラグ鉱物除去システムの設計；直接または間接発熱および変換方法のどちらかを使用するか；および合成ガス洗浄システム。
【００１３】
これらの要素には様々な異なったシステムの設計において考慮されており、そのシステムはエネルギー効率の良い方法で、廃棄物を電気に変換するためのプラズマアーク発生器の使用を提案している。これらのシステムは、例えば、米国特許第６，６８６，５５６、６，６３０，１１３、６，３８０，５０７；６，２１５，６７８、５，６６６，８９１、５，７９８，４９７、５，７５６，９５７号、および米国特許出願第２００４／０２５１２４１、２００２／０１４４９８１号に説明されている。
【００１４】
米国特許番号４，１４１，６９４；４，１８１，５０４；４，２０８，１９１；４，４１０，３３６；４，４７２，１７２；４，６０６，７９９；５，３３１，９０６；５，４８６，２６９および６，２００，４３０を含んだ、様々な用途に使用される、合成ガスの生成に関する石炭のガス化のための異なる技術に関連している特許もまた多数存在する。
【００１５】
炭素質原料のガス化の間に生成されたガスは、非常に高温で汚れており、使用可能な製品に変換するための追加処理を必要とする。例えば、洗浄装置および乾燥ろ過作用浄水システムは、ガス化の間に生成されたガスから粒状物質および酸化ガスを取り除くために、頻繁に使用される。ガス化処理の間に生成されたガスを処理するシステムを含む、多数のガス化システムが開発されている。
【００１６】
米国特許第６，８１０，８２１号は、無窒素ワーキング・ガスを採用したプラズマトーチを使用している廃棄物処理システムのガス副生成物を処理するための装置および方法を説明している。米国特許第５，７８５，９２３号は、プラズマトーチのようなオフガスヒーターを有するオフガス受け入れチャンバーを含んだ、揮発性材料を破壊するための継続的供給材料融解を説明している。
【００１７】
この背景情報は、本発明と潜在的な関連性がある出願者によって考えられている周知の情報を作ることを目的として、提供されている。必ずしも、承認が意味されるというわけではなく、また、これまでの情報のいずれも本発明に対して不利になる従来技術を構成すると解釈すべきではない。
［発明の概要］
本発明の目的は、炭素質原料から特定の構成ガスへ変換するためのシステムを提供することであって、ひとつ以上の熱処理ゾーンと、一つ以上のプラズマ熱源と、調整可能な炭素質原料供給速度で炭素質原料をガス化反応槽に加えるための、一つ以上の炭素質原料入力手段と、調整可能な処理添加物供給速度で処理添加物をガス化反応槽に加えるための、一つ以上の処理添加物入力手段と、調整可能な高炭素含有材料添加物供給速度で高炭素含有材料添加物をガス化反応槽に加えるための、一つ以上の高炭素含有材料添加物入力手段と、出力ガスのための一つ以上の排気口と、固形残渣取り扱いサブシステムとを含むガス化反応槽、ガス質調整サブシステムと、データを生成するための一つ以上のシステムパラメーターを測定するためのシステム監視手段と、前記システム監視手段によって生成された前記データを収集および分析するための演算手段と、システム全体に配置されている一つ以上のシステム制御装置に変化をもたらす、適切な信号を送るための出力手段とを有する統合制御システムとを備え、前記制御システムは、一つ以上の前記制御システムパラメーターを監視し、前記一つ以上のシステム制御装置に変化をもたらすように、前記適切なシステム制御\装置へと信号を送り、それによって特定の構成の生成ガスを作り出す。
【００１８】
本発明のこれらおよび他の特徴は、添付図面に対して参照されている以下の詳細説明において、より明白になる。
［発明の詳細な説明］
定義されないかぎり、ここに使用される全ての技術および科学的用語は、本発明に属する当業者により一般的に理解される同等の意味を有する。
【００１９】
本明細書では、「約」という用語は、公称値の＋／−１０％の差異を言う。そのような差異は、特別に記載されているかどうかにかかわらず、ここに定義されるいかなる任意の値にそのような差異が常に含まれると理解されるものである。
【００２０】
本発明の目的において、合成ガス（または合成用ガス）の用語は、ガス化プロセスの生成物を示し、水、メタンなどのガス状成分以外に、一酸化炭素、水素、二酸化炭素を含むことができる。
【００２１】
ここで使用されているように、「原料」および「炭素質原料」の用語は、現在のガス化処理に適した一切の炭素質原料であり、いかなる廃棄物、石炭（低級、石炭火力発電の使用には適さない高硫黄石炭も含む）、石油コークス、重油、バイオマス、下水汚泥および農業廃棄物も含むが、これらに限定されない。ガス化に適した廃棄物は、都市固形廃棄物および産業活動よって生成されたような有害および無害廃棄物の両方、および生物医学廃棄物を含む。ガス化に有効なバイオマスの例は、廃棄または新鮮な木材、果実、野菜、穀物加工の残り、製紙工場残留物、わら、芝、肥やしを含むが、これらに限定されない。
【００２２】
「固形残渣」の用語は、炭素質原料ガス化の固形副生成物を意味する。そのような固形残渣は、通常シリコン、アルミニウム、鉄、酸化カルシウムなどの炭素質材料に含まれる無機難燃材料を有する。固形残渣の例には、炭化物、灰、およびスラグが挙げられる。
【００２３】
「スラグ」は、炭素質材料に含まれる無機難燃材料を有する未浸出で無害のガラスの様な材料である。高温度状況（１３００℃〜１８００℃）において、鉱物質は融解される。融解されたスラグは、急冷または冷却時に、ガラス状物質を形成する。この材料は、多くの商業用途に適している。
【００２４】
本明細書において、「交換気」の用語は、本発明に従い、ガスと空気の熱交換器を用いて高温生成ガスから顕熱を用いて熱せられた後の空気をいう。
図１から９を参照に、本発明は、通常１０の数字を用いて引用され、統合制御サブシステム２００、図１０から図１５に図式的に示されている典型的な実施例を有する炭素質原料ガス化システムを備える。このシステム１０は、通常、様々な組み合わせで、図１５で見られるような、一つ以上の処理ゾーンおよび一つ以上のプラズマ熱源を有するガス化反応槽１４（または変換器）と、 固定残渣処理サブシステム１６と、ガス質調整サブシステム２０と、炭素質原料の転化の全体エネルギー収支を管理し、ガス化プロセスの全ての要素を最適な設定値で維持するための（図１０から１５に具体的に描写されている）統合制御サブシステム２００を有する。また、ガス化システムは、熱回収サブシステム１８および／または生成ガス制御サブシステム２２（例：図１Ａの実施例に見られる均質化チャンバー２５、図１Ａおよび１Ｂの実施例に見られるガス圧縮機２１、および／または図１Ｄの実施例に見られるガス貯蔵装置２３など）を任意に備える。
【００２５】
統合制御サブシステム２００を用いた炭素質原料ガス化システム１０の様々な実施例は、炭素質原料を特定組成のガスへと変換する。特に、本発明は、下流側の用途に適した構成を有する生成ガスへの炭素質原料の効果的な変換を可能にするシステムを備える（その典型的な数字は図４および９に具体的に描写されている）。例えば、ガスタービンの燃焼を介して、生成ガスを、発電に使用する目的（例：図１から６の参照２４）、または、燃料電池用途に使用する目的（例：図２、および５から９の参照２６）の場合、それぞれのエネルギー発生器の燃料として使用することができる生成物を入手することが望ましい。もう一つの手段として、生成ガスが、今後の化学的プロセスに原料として使用される場合（図２のオプション２８）、構成は、特定の合成的応用に最も有用なものとなる。
【００２６】
図１０から１５を参照し、統合制御サブシステム２００は、 一つ以上のシステムパラメーター（例：ガス組成（％ＣＯ、％ＣＯ2、％Ｈ2など）、ガス温度、ガス流速など）を測定し、測定したシステムパラメータ値からデータを生成するシステム監視手段２０２、および、システム監視手段２０２から得られたデータを収集および分析し、一つ以上のシステム制御装置２０６（つまり、図１４および１５の調節装置２０６−１、２０６−２、２０６−３、および２０６−４）に適切な信号を出力する（例：図１５の典型的なロジックボックス３０、３２、３４により具体的に描写される）演算手段２０４を備える。統合制御サブシステム２００は、制御手段２０２を通じ一つ以上のシステムパラメーターを監視し、反応設定点の維持に必要な調節を行うために、適切なシステム制御装置２０６に、信号を送信することで炭素質原料の転化のエネルギーを管理し、最適な設定点において処理を維持する。システム１０の様々な実施例に従い、制御サブシステム２００を使用することにより、特定の構成を有する生成ガスの生成が可能になる。
【００２７】
図１１を参照し、統合制御サブシステム２００、および特にその演算手段２０４は、通常一つ以上の演算処理装置２０８と、様々な監視手段２０２から現在のシステムパラメーター値を受信するための一つ以上のモニター入力２１０と、新しい、あるいは更新済システムパラメーター値を、様々な調節装置２０６へ伝える一つ以上の制御装置出力２１２から構成される。また、演算手段２０４は、様々な既定および／または再調節されたシステムパラメーター、セットまたは希望システム操作範囲、システム監視および制御ソフトウェア、操作データなどを記憶するための、一つ以上のローカルおよび／またはリモート記憶装置２１４（例：ＲＯＭ、ＲＡＭ、リムーバブル・メディア、ローカルおよび／、またはネットワークアクセスメディアなど）を備える。随意に、また演算手段２０４は、プラズマガス化プロセスシミュレーションデータ、および／または図２８に典型的に示されているシステムパラメーター最適化およびモデリング手段２１６に、直接あるいは、様々なデータ記憶装置を介し、アクセス出来る。また、演算手段２０４は、制御手段２００（システム更新、メンテナンス、修正、新システムモジュールおよび／または装置への適合など）への制御アクセスのための 一つ以上のグラフィカル・ユーザー・インターフェースおよび入力周辺機器２１８、および、データと情報を外部（例：モデム、ネットワーク接続、プリンターなど）へ送信するための様々な出力周辺機器２２０を備える。
【００２８】
図１２から１５を参照に、本発明の制御サブシステム２００は、異なる原料の種類、または石炭の同種の原料の源泉におけるいかなる自然変動に関係なく、生成ガスおよびシステムの副生成物（商業スラグ、ガス回収、水蒸気発生など）の最適な生成をもたらすために、反応槽１４からのガス流量とガス構成が、随意にシステム１０全体を通し、所定の許容範囲内に留まることを確認する。本発明の制御側面はそのような多様性を補うために、それを認識し、調節を行うことが出来る。温度、流れ、および構成を含む生成ガスのパラメーターは、監視され、反応物質は、合成ガスの最終用途により定義される既定の許容範囲内の生成ガスのパラメーターを維持するために（例：制御装置２０６を通して）変化する。
【００２９】
本発明の統合制御サブシステム２００は、 補正フィードバックを提供し、それにより、生成ガスの流速、気温、および構成のうちのーつ以上を監視し、一つ以上の炭素質原料入力レート、酸素入力レート、蒸気入力レート、炭酸添加物入力レートおよびプラズマ熱源１５に供給される電力量が修正される。調節は、生成ガスの流速、温度、および／または構成における測定された変更に基づき、これらが許容範囲内に留まることが出来るようにする。一般的に、生成ガスの流速、温度および／または構成の範囲は、特定の下流側の用途用のガスを最適化するために選択される。
【００３０】
一実施例において、本発明の処理は、ガス化処理を行うため、また、原料が自然変動を示す構成の場合においても、処理からのガス流量と構成が許容範囲内にとどまることを確実にするためにプラズマ熱の可制御性を同時に使用する。他の実施例において、処理により、単位時間あたりに処理される総炭素量を出来るだけ一定に保ち、単位時間あたり反応槽１４に出入りする総熱量が、処理限界内に保たれることを確実にするためにプラズマ熱を利用することが可能になる。また、統合制御サブシステム２００は、図１４に具体的に描写されている通り、サブシステム１６を扱う固定残渣、サブシステム１６、ガス質調節サブシステム２０、熱回収サブシステム１８、および／または生成ガス調節サブシステム２２のうちいずれかを介し生じる処理を監視、および／または調節するために設定されてよい。
【００３１】
図１から９を戻って参照すると、炭素質原料のガス化は、概して本発明のガス化反応槽１４内で行われ、その様々な実施例は、図１６から２０の槽１４Ａから１４Ｅに示されている。ガス化反応槽１４はまた、1つ以上の処理ゾーンおよび1つ以上のプラズマ熱源に加え、ガス化処理を最適な設定点に維持するために必要な場合は、３６のような、原料（単一の原料、一次および二次原料、および／または混合原料を含んでもよい）をガス化反応槽１４に入力するための1つ以上の手段と、３８および／または３９のような、蒸気、酸化剤、および／または炭素富化材料添加物（後者は任意に二次原料として提供される）などの一つ以上の処理添加物を添加するための手段とを備える。気体は、４０に記載の通り、一つ以上の出力ガス出口を通り、ガス化反応槽１４から出る。
【００３２】
一実施例において、蒸気および／または酸素および／または炭素を多く含む材料（例：第二原料３９として）などの処理添加物の入力と連携して、プラズマ熱の用途（例：プラズマトーチのようなプラズマ熱１５源）は、ガス構成の管理に役立つ。また、システム１０は、炭素質原料の気化に必要な高温熱を提供し、および／または副生成物の灰を溶解し、商品価値のあるガラスのような製品へと変化させるために、プラズマ熱を使用する。
【００３３】
また、本発明の炭素質原料ガス化システム１０の様々な実施例は、ガス化処理の固定副生成物の制御手段を提供する。特に、本発明は、原料からエネルギーへと変換する処理により生じる固定生成物および残渣を、低浸出性を有する陶化均質体への変換のための 固形残渣処理サブシステム１６を提供する。ガス化処理の固体生成物は、炭化物、灰、スラグ、あるいはその組み合わせの形をとる。
【００３４】
具体的に、固形残渣処理サブシステム１６は、調節チャンバーまたは領域４２、プラズマ熱処理手段４４、スラグ出力手段４６および制御手段（システム１０の全体的な制御サブシステム２００に作動的に関連する場合がある）を有し、それにより、固形を溶解し、融合し、科学的に反応させ、チャンバーまたは領域４２から流れた際に、高密度で、未浸出なシリンコン金属固形フラグに冷却する高密度なシリコン金属ガラス質材料を形成するために、プラズマ熱が使用される。特に、本発明は、統合制御サブシステムを用いて、完全な溶融と、均質化を促進するプラズマ発熱率および固定残渣入力率を制御するために、固定残渣からスラグへの変換が最適化される固定残渣調節チャンバーまたは領域４２を提供する。
【００３５】
また、本システム１０の様々な実施例は、高温生成ガスから熱を回収する手段を提供する。この熱回収サブシステム１８（その典型的な実施例は図２１から２５具体的に描写されている）は、高温生成ガスを一つ以上のガスと空気熱変換機４８へ移動する手段を含み、それにより高温精製ガスが空気、または、酸素および酸素富化空気などの酸化その他の酸化剤を加熱するために使用される。熱風（あるいは他の酸化剤）の形で、回収された熱は、それから随意にガス化処理の熱を提供するために使用され（図２３および２４を参照）、それにより、ガス化処理を行うために、一つ以上のプラズマ熱源１５により提供されなければならない熱量を減少する。また、回収された熱は、工業暖房用途に使用される。
【００３６】
任意に、熱回収サブシステムは、例えば、ガス化反応（図２３および２５）における処理添加物として使用できる蒸気を発生させる、あるいは、５２で見られるように発電するための蒸気タービンを回すために、一つ以上の熱回収蒸気発生器（ＨＲＳＧ）５０をさらに有する。
【００３７】
また、図２１および２２で見られるように、熱回収サブシステム１８は、プラズマ熱源冷却処理５３、スラグ冷却および取り扱い処理５５、ＧＱＣＳ冷却処理６１を介してなど、 他の様々なシステムの構成および処理から、熱を抽出する追加熱回収サブシステムを含む。また、熱回収システム１８は、システム１０を介し、エネルギー伝達を最適化するためにシステムの全体制御サブシステム２００と共役させるフィードバック制御システムを有する（例：図１２および１３参照）。
【００３８】
また、本発明のガス化システム１０の様々な実施例は、ガス質調節サブシステム（ＧＱＣＳ）２０、または、ガス処理の生成物を特定の特性の出力ガスへ変換するための、そのガス質調整手段（図３および５に詳細に説明された典型的な実施例）を提供する。生成ガスは、下流側の用途に必要な特性を有する出力ガスを生成するための特定の一連の処理過程の条件下で、ＧＱＣＳ２０により誘導される。ＧＱＣＳ２０は、例えば、粒状物質５４（例：バグハウスやサイクロン（図５）などを介し）、酸化ガス（例：ＨＣｌ、Ｈ2Ｓ）５６および／あるいは重金属５８を、合成ガスから除去、あるいは、システムを通る際に、ガスの湿度と温度を調節することを含む処理過程を行う構成を有する。処理ステップの存在および順序は、合成ガスの構成および下流アプリケーション用の出力ガスの特定の構成によって決定される。また、ガス質調節システム２０は、ＧＱＣＳ処理を適切化するために、システム１０の全体の統合制御サブシステム２００に動作可能になるように接続される統合制御サブシステムを有する（例：図１２および１３を参照）。
【００３９】
また、ガス化システム１０の様々な実施例は、手段２２に記載される通り、例えば生成ガスの化学的構成を均質にし、下流の要件を満たすために、生成ガスの流量、圧力および温度などの他の特質を調節し、生成ガスを調節するための手段もまた提供する。この生成ガス調節サブシステム２２により、定義された特質のガスの継続的で一定した流れが、ガスタービン２４または、エンジン、燃料電池応用２６などの下流側の用途に送られることが可能になる。
【００４０】
特に、本発明の生成ガス調節サブシステム２２は、一貫した出力構成の均質ガスに到達する十分なガスの滞留時間に対応するために設計された寸法を有する均質チャンバー２５（図３）あるいは同類のもの（図３の圧縮機２１、図２のガス貯蔵装置２３など）を備える。本発明の生成ガス制御システムの他の要素は、下流側の用途の性能要件を満たすように設計されている。また、ガス調節システム２２は、動作可能なように、この処理のエネルギー収支および出力を最適化するために、システム１０の全体の統合制御サブシステム２００と接続する統合フィードバック制御システムを備える（図１２および１３参照）。
【００４１】
これから図４から９を参照に、当業者は、様々な実施例において、本発明のシステム１０および統合制御サブシステム２００が、多くのエネルギー発生および、数々の単独および／あるいは併合した下流側の用途を有する変換システムに使用されることを理解する。例えば、図４の典型的な実施例において、統合ガス化複合発電（ＩＧＣＣ）システムであるシステム１０は、一つ以上の蒸気タービン５２に使用する一つ以上のＨＲＳＧ５０を介し、ガスタービン２４に関連した合成ガスおよび排出ガス共に冷却することにより生み出された蒸気と、一つ以上のガスタービン２４に使用する合成ガスを供給することにより、出力エネルギー（例：電気）を生成することができる。
【００４２】
図５の典型的な実施例において、システム１０は、統合ガス化複合発電（ＩＧＣＣ）システムと、固体酸化物燃料電池システム２６Ｓを組み合わせ、後者は、エネルギー（たとえば電気）を生成するために、合成ガスの水素が豊富な副生成物を使用する。
【００４３】
図６の実施例において、システム１０は、統合ガス化複合発電（ＩＧＣＣ）システムと、溶融炭酸塩型燃料電池システム２６Ｍを組み合わせ、後者は、図５のように、エネルギーを生成するために、合成ガスの水素豊富な副生成物を使用する。
【００４４】
図７の典型的な実施例において、システム１０は、図５のように、固体酸化物燃料電池システム２６Ｓと、合成ガスおよび燃料電池出力から熱を回収する一つ以上のＨＲＳＧ５０により生成された蒸気により活性化された一つ以上の蒸気タービン５２を組み合わせる。
【００４５】
図８の典型的な実施例において、水性ガスシフト反応器５９は、固定酸化物燃料電池システム２６Ｓに使用される水素豊富な合成ガスを提供するために、図７の実施例に追加される。
【００４６】
図９の典型的な実施例において、図８の固体酸化物燃料電池システム２６Ｓは、溶融炭酸塩型燃料電池システム２６Ｍにより置換される。
当業者には明らかなように、システム１０の上記実施例は、他のそのようなシステム構造および組み合わせが、本発明の開示の範囲および精神から逸脱することなく提供されるものであると、当業者が理解するように、制限的な意図はない。
＜統合制御サブシステム＞
図１から３、および１０から１５を参照すると、本発明システムは、統合制御サブシステム２００を含む。統合制御サブシステム２００は、データを生成する一つ以上のシステムパラメーターを測定するためのシステム監視手段２０２と、システム監視手段２０２によって生成されたデータを収集および分析するための（例：図１５の典型的なロジックボックス３０、３２、３４に具体的に描かれた）演算手段２０４と、システム全体に配置されている一つ以上のシステム制御装置２０６の変化に影響する、適切な信号を送るための出力手段とを備える（例：図１４および１５の制御装置２０６−１，２０６−２、２０６−３および２０６−４）。統合制御サブシステム２００は、システムパラメーターを監視し、適切なシステム調整装置に信号を送って、システム１０内で測定されたパラメーターに関連して取得されたデータに応えて必要とされる様々な動作パラメーターおよび条件に対してリアルタイム調整ができるようにする。一実施例において、統合制御サブシステム２００は、炭素質原料をエネルギーへと変換するエネルギー収支を管理するために、フィードバック制御システムを提供して、反応設定点を維持し、それによって、特定の構成を有するガスを生成するために、最適な反応条件のもとでのガス化処理の実行が可能となる。
【００４７】
総体的な炭素質原料のガス変換に関するエネルギー収支が決定され、現在のガス化システムを使用して実現される。全体エネルギー収支の決定に影響を与える幾つかの要素は、炭素質原料のＢＴＵ値および構成、生成ガスの特定の構成、生成ガスに許可された差異の程度、および入力コスト対出力値である。反応物質（例えば、プラズマ熱源１５および／または４４のための電源、酸素、蒸気および／または炭素を多く含む材料といった処理添加物３８および／または３９、ここで後者は、第二原料３９として任意に提供される）に対する継続的な調整は、設計仕様により査定および最適化された全体エネルギー収支アークによる手段で実行することができる。
【００４８】
従って、本発明の制御サブシステム２００は、エネルギー収支を管理し、許容範囲内で反応設定点を維持する一方で、処理が効率的な方法で行われていることを確認するために、処理のすべての側面を同時に制御するための手段を提供している。従って、リアルタイムコントローラーは、統合的な方法で、処理のすべての側面を同時に制御する能力を備えている。
【００４９】
反応槽１４からの生成ガスの構成および流れは、反応環境を制御することによって、所定の許容範囲内で制御される。温度は、反応槽１４に注入される炭素質原料ができるだけ安定した環境に遭遇することを確実にするため、大気圧力で制御される。本発明の制御サブシステム２００は、反応槽１４に投入される、原料、蒸気、酸素および炭酸の量を制御するための手段を提供している。
【００５０】
設定点を維持するために調整されうる動作パラメーターは、炭素質原料供給速度、処理添加物供給速度、特定の圧力を維持するための誘導送風機への電源供給、およびプラズマ熱源への電源供給および位置を含む（例：１５、４４）。これらの制御側面は、各パラメーターに関連してさらに検討される予定である。
【００５１】
図１２および１３を特に参照して、上記において簡単に検討された通り、統合制御サブシステム２００は、監視手段２０２を介して、様々なシステムパラメータを監視し、 調節手段２０６を介して、エネルギー収支を管理し、特定の許容範囲内の処理の各側面を維持するために、これらのパラメーターに対する様々な変更を実施するため、前記システム１０全体にわたって統合されていてもよい。以下で詳細に検討される予定であるこれらのパラメーターは、一つ以上のプラズマガス化槽１４、固形残渣取り扱いサブシステム１６、プラズマ熱源１５、およびスラグ処理熱源４４、熱回収サブシステム１８（例：ガス／空気熱交換器４８および／またはＨＲＳＧ５０）とそれに関連した処理添加物入力３８、一次および／または二次原料入力３６、３９（例：炭素を多く含む添加物）、前記ＧＱＣＳ２０、均質化チャンバー２５、システム１０のその他すべての処理要素またはモジュールに関連した処理から生じていてもよい。
【００５２】
さらに、演算手段２０４の様々なローカルおよび／またはリモート記憶装置２１４を通して、多数の所定および／または再調整されたシステムパラメーター、システム動作範囲、システム監視および制御ソフト、操作上のデータ、および任意でプラズマガス化処理シュミレーションデータおよび／またはシステムパラメーター最適化およびモデリング手段２１６（例：図２８参照）にアクセスすることにより、統合制御サブシステム２００は、システム出力を最適化するために、さらにシステム１０と相互作用してよい。
＜システム監視手段＞
図１０から１５を現在参照すると、前記システム１０が最適な設定点の中で作動しているかどうかを調べるため、定期的にもしくは継続的に、制御サブシステム２００のシステム監視手段２０２を使用して監視することができる。本発明の一実施例において、手段２０２のような手段が、リアルタイムベースで監視するように提供され、それによってシステム１０が設定点の許可／許容変動内で動作しているかどうかの瞬時指標を提供する。監視される可能性のあるパラメーターは、化学構成、生成ガスの流速および温度、システム１０内の様々な点における温度、システムの圧力、およびプラズマ熱源１５、４４（例：電源および／または位置）に関連した様々なパラメーターを含むが、これらに限定されないものを含む。
【００５３】
パラメーターはリアルタイムで監視され、結果データは、例えば、（例：調節手段２０６−２を通して）システムに蒸気／酸素（もしくはその他の酸化剤）をさらに注入される必要があるかどうか、炭素質原料入力速度は（例：制御手段２０６−１を通して）調整される必要があるかどうか、もしくはいずれかのシステムのコンポーネントにおいて温度または圧力が調節を必要としているかどうか、といったことを調べるために使用される。
【００５４】
システム監視手段は、当該サブシステムが存在する場合、必要に応じて、ＧＱＣＳ２０、熱回収サブシステム１８、固形残渣取り扱い手段１６、および生成ガス取り扱いサブシステム２２のコンポーネントのいずれにも設置することができる。
＜生成ガスの構成＞
以前に検討された通り、生成ガスが発電に使用を目的とする場合、エネルギー発電機に電源を供給するための燃料として使用される生成物を取得することが望ましい。この場合、最適なエネルギー収支は、生成されたガスを使用してエネルギーを生み出す効率によって測定される。
【００５５】
反応槽１４から出る際の、出力ガスの主要コンポーネントは、一酸化炭素、二酸化炭素、水素、および蒸気と、それより量の少ない窒素である。非常に少量のメタン、アセチレンおよび硫化水素もまた存在する可能性がある。出力ガスの中の一酸化炭素または二酸化炭素の割合は、反応槽１４に注がれる酸素の量によって異なる。例えば、一酸化炭素は炭素から二酸化炭素への化学量論的な変換を防ぐために、酸素の流れが制御されるときに生成され、上記処理は主に一酸化炭素を生成するために行われる。
【００５６】
生成合成ガスの構成は、特定の用途（例：発電のためのガスタービン２４および／または燃料電池用途２６）のために、例えば、応用プラズマ加熱１５、酸素および／または蒸気および／または炭酸処理添加物３８間のバランスを調整することで（または二次原料３９を介して）、最適化される。ガス化処理の間の、酸化剤および／または除気処理添加物の追加が、変換化学に影響するため、監視手段２０２のような、合成ガス構成を監視するための手段を提供することが望ましい。合成ガスの最終用途によって定義された所定の許容範囲内に生成ガスのパラメーターを維持するため、例えば、制御手段２０６を経由するなど、上記の反応物質の入力が変えられる。
【００５７】
生成ガスの監視は、ガスモニターおよびガス流量計といったような様々な監視手段２０２を使用して実現される。ガスモニターは、合成ガスの水素、一酸化炭素、二酸化炭素の含量を測定するために使用され、その値は、図１５の典型的なロジックボックス３０および３２によって説明として描かれているように、様々な制御ステップにおいて使用可能である。生成ガスの構成は、概して、ガスが冷却され、粒状物質を除去するための調整ステップを経た後、測定される。
【００５８】
生成ガスは、当業者にとって周知の方法を使用して、サンプリングされ、分析される。生成ガスの化学構成を定義するために使用されるひとつの方法は、ガスクロマトグラフィ（ＧＣ）分析によるものである。これらの分析のサンプル点は、システム全体にわたって配置されている。一実施例において、ガス構成は、フーリエ変換アルゴリズム（ＦＴＩＲ）アナライザーを使用して測定され、それはガスの赤外線スペクトルを測定するものである。
【００５９】
一実施例において、温度、流速、構成といったような生成ガスのパラメーターは、反応槽１４の軸通気孔４０に設置された監視手段２０２を通して監視することができる。別の実施例において、サンプリングポートはまた、生成ガス取り扱いシステムの中のどの位置に設置されてもよい。以前に検討されたように、生成ガスの最終用途によって定義された所定の許容範囲内に生成ガスのパラメーターを維持するため、反応物質の入力を変化させるために、制御手段２０６は提供される。
【００６０】
本発明の一側面は、排出物の構成を確定することにより、ガス化処理の間に添加する酸素が過剰または不足していないかどうかを調べ、それに応じて処理を調整することにある。好ましい実施例において、一酸化炭素の流れの中のアナライザー、センサー、または他の当該監視手段２０２は、二酸化炭素、または他の適した酸素を豊富に含む参照物質の存在および濃度を検出する。
【００６１】
主として一酸化炭素が生成されているかどうかを調べるために、他の技術が使用されてもよいことは、明白であろう。ひとつの代替実施例において、一酸化炭素に対する二酸化炭素の割合を測定することができる。別の代替実施例において、センサーはプラズマ発生器の酸素量および下流の炭素量を調べるために提供されてよく、それによって、一酸化炭素および二酸化炭素の割合を計算し、その後それに応じて処理調整を行うことができる。一実施例において、ＣＯおよびＨ2の値は、測定され、目標値または範囲と比較される。別の実施例において、生成ガス発熱量は、測定され、目標値または範囲と比較される。
【００６２】
当業者は、上記または他の当該監視手段２０２を介して、システム１０の所定の実施例全体に実行することのできる、これらおよび他の当該生成ガス構成測定が、制御手段２０６を介して、処理出力および効率を最大化する目的で、進行中の処理を監視・調整するために使用することができ、上記にリストされ、実例システムおよび添付図に描かれている制御サブシステム設定によって提供されている例に限定されるべきものではない、ということを理解されたい。
＜システム内の様々な配置における温度＞
本発明の一実施例において、システム１０全体を通して配置されているサイトの温度を監視するために、監視手段２０２に見られるような手段が提供されており、当該データは継続的もしくは断続的に取得される。反応槽１４の温度を監視するための監視手段２０２は、例えば、反応槽１４の壁の外、または反応槽１４の上、中、底面の耐火物の中に配置されていてもよい。
【００６３】
生成ガスの温度を監視するための監視手段２０２は、生成ガス出口４０や、生成ガス調整システム（例：ＧＱＣＳ２０内）全体の様々な位置に配置されていてもよい。複数の熱電温度計は、反応槽１４周辺の重要な場所における温度を監視するために使用することができる。
【００６４】
ガス化処理によって生成された顕熱を取り戻すためのシステムが使用される場合（熱交換器や同様の技術等）、１８に見られるように、熱回収システム内の場所（例えば、冷却流動体吸気口および排気口において）での温度を監視するための監視手段２０２もまた組み込むことができる。一実施例において、ガス／空気熱交換器４８、熱回収蒸気発生器（ＨＲＳＧ）５０、または両方が、ガス化処理によって生成された高温ガスを取り戻すために使用される。熱交換器を使用している実施例において、温度送信機は、例えば、熱交換器の吸気口および排気口での生成ガスの温度を測定するために設置されている。温度送信機はまた、熱交換器内での加熱後の冷却剤温度を測定するために提供されている。
【００６５】
これらの温度測定は、各熱交換器に入るときの生成ガスの温度が、装置の理想的使用温度を超えないことを確認するために使用される。例えば、一実施例において、ガス／空気熱交換器４８のための設計温度は１０５０℃である場合、熱交換器４８への吸気口ガス流における温度送信機は、最適な生成ガス温度を維持することを目的とし、システムを通る冷却気流速度およびプラズマ火力の両方を制御するために使用される。さらに、生成ガス出口温度の測定は、すべての熱回収段階において、生成ガスから最適な顕熱量が取り戻されたことを確認するために有効であろう。
【００６６】
加熱された交換空気の温度を測定するための通気排気口に設置された温度送信機は、処理空気がガス化処理の使用に最適な温度まで加熱されたことを確かにする条件のもとで、当該処理が実行されていることを確認する。一実施例において、冷却気流排気口温度は、例えば、約６２５℃であり、従って、通気排気口に設置された温度送信機は、最適な生成ガス入力温度を維持するために、（例：図１４および１５の調節手段２０６−４を介して）システムを通る気流速度およびプラズマガス化槽１４のトーチ力のうちのひとつもしくは両方の調整がされるべきかどうか、ということを決定するためのデータを提供し、それによって、冷却気流の温度を制御するために使用することができることになる。
【００６７】
本発明の一実施例によると、制御戦略は、例えば約６００℃といった最適な冷却空気出力温度のための固定設定点、および、例えば約２３５℃といったＨＲＳＧガス出口温度のための固定値を設定する。従って、この実施例によると、生成ガス流量が減少する場合、ガス／空気熱交換機４８の出口における生成ガス温度は冷却され、その結果、ＨＲＳＧガス出口気温もまた固定値に設定されているため、蒸気生産の減少をもたらす。
【００６８】
システムを通る気流が減少するとき、同様の概念が適用される。本発明の実施例によると、出口冷却剤気温は一定のままであり、従って、ガス／空気熱交換機４８のための出口生成ガス温度は、さらに熱くなり、そのためＨＲＳＧ５０内にさらに蒸気を生成する。しかしながら、システムを通る気流が減少すると、生成ガス流量もまた必然的に減少するため、ＨＲＳＧ５０に対して増加した吸気口温度は一時的に高くなるだけである。例えば、気流が５０％に減少する場合、ＨＲＳＧ５０が一時的に読み取る最大吸気口ガス温度は、約８００℃であり、熱交換器設計の限界温度内である。
【００６９】
本発明の一実施例において、温度を監視するための監視手段２０２は、必要に応じてシステム１０内に設置された熱電温度計によって提供される。よって、上記の通り、当該気温測定は、図１５の典型的なロジックボックス３４によって実例として描かれているように、統合制御サブシステム２００によって使用することができる。当業者は、上記または他の当該監視手段２０２を介して、システム１０の所定の実施例全体にわたって実行されている他の種類の温度測定が、制御手段２０６を介して、処理出力および効率を最大化する目的で、進行中の処理を監視・調整するために使用することができ、上記にリストされ、実例システムおよび添付図に描かれている制御手段設定によって提供されている例に限定されるべきものではない、ということを理解されたい。
＜システムの圧力＞
本発明の一実施例において、反応槽１４内、およびシステム１０全体にわたる圧力を監視するため、監視手段２０２が提供されており、当該データは継続的もしくは断続的に取得される。さらなる実施例において、これらの圧力監視手段２０２は、例えば、槽の垂直壁上に配置されている圧力変換器のような圧力センサーを含む。システム１０の圧力に関連したデータは、制御サブシステム２００によって使用され、プラズマ熱源電源もしくは炭素質原料または処理添加物の添加速度といったパラメーターの調整が必要とされるかどうかをリアルタイムで決定する（例：図１４および１５の制御手段２０６−１および２０６−４を介して）。
【００７０】
ガス化される炭素質原料量における変動は、急速なガス化につながり、結果として反応槽１４内の圧力に著しい変化をもたらす。例えば、炭素質原料の増加量が反応槽１４に取り込まれる場合、槽１４内の圧力は著しく増加することになる。継続的に圧力を監視するための監視手段２０２を有し、それによって、調節手段２０６を介してパラメーター（例えば、誘導送風機の速度）をリアルタイムで調整するのに必要なデータを提供し、システム圧力を低下させる、といった場合においては有利になるであろう。
【００７１】
さらなる実施例において、例えば，多数の圧力監視手段２０２を介して、システム１０全体にわたる差圧の継続的な読み出しが提供される。この方法によって、各個々のコンポーネントにわたる圧力低下は、処理中に起こる問題を迅速に特定するために監視することができる。当業者は、上記および他の当該システム圧力監視および制御手段が、処理出力および効率を最大化する目的で、調節手段２０６を介して、進行中の処理を、監視・調整するために、上記または他の当該監視手段２０２を介して、システム１０の様々な実施例にわたって使用することができ、上記にリストされ、実例システムおよび添付図に描かれている制御サブシステム設定によって提供されている例に限定されるべきものではない、ということを理解されたい。
＜ガスの流速＞
本発明の一実施例において、システム１０全体に配置されているサイトにおける生成ガスの流速を監視するため、監視手段２０２が提供されており、当該データは継続的もしくは断続的に取得される。
【００７２】
異なるシステムのコンポーネントを通るガスの流速は、特定のコンポーネントにおいて、ガスの滞留時間に影響することになる。ガス化反応槽１４の改質領域を通るガスの流速が速すぎる場合、ガスのコンポーネントが均衡になるための十分な時間がなく、結果として最適でないガス化処理をもたらす。当業者は、これらおよび当該気流監視制御手段が、図１４および１５に描かれている典型的な制御サブシステム２００のような統合制御サブシステムを介した処理出力および効率を最大化する目的で、制御手段２０６を介して、進行中の処理を監視・調整するために、上記または他の当該監視手段２０２を介して、システム１０の様々な実施例にわたって使用することができる、ということを理解されたい。
＜演算手段＞
制御サブシステム２００は、反応条件を制御し、出力ガスへの炭素質原料の変換の化学反応およびエネルギー収支を管理する手段を備える。さらに、制御サブシステム２００は、理想的、最適、またはそうではないガス化反応条件を維持するために、作動条件を決定および維持することができる。理想的な作動条件の決定は、炭素質原料の構成および生成ガスの特定の構成のような要素を含む、処理の全体エネルギー収支による。原料の構成は均質であってもよいし、特定の範囲まで変動してもよい。原料の構成が異なる場合、特定のシステムパラメーターが、理想的作動条件を維持するために、調節手段２０６により継続または定期調節を必要とする可能性がある。
【００７３】
統合制御サブシステム２００は多くの要素を含むことができ、その各要素は、例えば、添加物の一つの流速の制御、ガス化システムの一つ以上のプラズマ熱源（例：１５、４４）の一つの位置または電気出力の制御、または副生成物の回収の制御のような、専用タスクを実行することを目的とすることができる。制御サブシステム２００は、演算手段２０４の処理装置２０８にあるような処理システムをさらに備えることができる。一実施例では、処理システムは、多くのサブ処理システムを備えることができる。
【００７４】
一実施例では、各サブ処理システムは、プラズマ改質反応の少なくとも１つの側面を模倣することができる反応モデルを使用するよう、設定することができる。各反応モデルはそれぞれ特有のモデル入力およびモデル出力パラメーターを持ち、モデル入力パラメーターへの変化の影響としてモデル出力パラメーターの変化を算出するために、使用することができる。各反応モデルは、システムの制御要素のいずれにも影響を与える前に、ガス化システムの作動条件への変化を予測するのに役立つ評価を実行するために使用することができる。ここで留意すべきは、各反応モデルは、模擬予測が（実際の）プラズマ改質システムの処理を十分に、正確に模倣する作動条件の所定範囲内においてのみ、使用することができることである。
【００７５】
処理システムはさらに、ガス化システムの反応過程の部分モデルまたは全体モデルを用いて設定することができる。全体モデルの方が勝るが、部分モデルは非常に複雑になることができ、増え続ける作動条件への変化を予測するために使用する、またはモデルが十分に正確または妥当である作動条件の範囲を拡大するために使用することができる。反応過程の説明の抽象および完全性のレベルが高いほど、処理システムの予測能力は高くなる。しかしながら、全体モデルの複雑性の増加は、ガス化システムの作動条件への特定の影響を予測するためのモデルの有用性に、影響を及ぼす可能性がある。それらの効用は、短期間に渡る影響または小さなパラメーターの変化の予測に限られることがある。
【００７６】
図２８はかかるシステムモデルの実施例を提供し、そのシステムモデルは、システム１０の様々な処理の実行において開始点として使用するための、様々な作動オペレータおよびそれらを基にした予測結果を定義するために、統合制御サブシステム２００と併せて使用されることがある。一実施例では、これらおよびそのようなモデルは、システム１０の様々なシステム作動範囲および／またはパラメーターを継続的に再評価および／または更新するために、時々または定期的に使用される。一実施例では、ＮＲＣ  ＨＹＳＹＳシミュレーションプラットフォームが使用され、入力化学構成、熱化学の特性、湿度、供給速度、処理添加物などの任意の組み合わせを入力として見なすことができる。モデルはまた、例えば現場および石炭の種類の詳細、エネルギー回収の最大化、排気の最小化、資本および費用の最小化などを考慮するための、様々な任意の対話型の処理最適化を提供してもよい。最終的に、選択されたモデルオプションに基づき、モデルは、例えば様々な作動特性、達成可能な処理能力、システム設計の特性、生成ガスの特性、排気レベル、回収可能エネルギー、回収可能副生成物および最適な低コスト設計を提供してもよい。
【００７７】
各反応モデルは、ハードウェアのみ、またはソフトウェアおよびハードウェアの任意の組み合わせにおいて、使用することができる。図２８で説明するような反応モデルは、アルゴリズム、処理システムによって処理可能な式、または一連の式の任意の組み合わせを使用して、表すことができる。反応モデルがハードウェアでのみ使用される場合、それは処理システムの不可欠な部分となり得る。
【００７８】
処理システムおよびサブ処理システムのうちのいずれも、ハードウェアのみ、またはソフトウェアおよびハードウェアの任意の組み合わせを備えることができる。サブ処理システムのいずれも、比例（Ｐ）、積分（Ｉ）または微分（Ｄ）制御器のない組み合わせ、またはそれらの一つ以上の任意の組み合わせ、例えば、Ｐ制御器、Ｉ制御器、ＰＩ制御器、ＰＤ制御器、ＰＩＤ制御器などを備えることができる。Ｐ、Ｉ、およびＤ制御器の理想的選択は、ガス化システムの反応過程の一部の力学および遅延時間、および組み合わせが制御することを目的とする作動条件の範囲、ならびに組み合わせ制御器の力学および遅延時間によるものであることは、当業者には明らかとなろう。
【００７９】
組み合わせ制御器の設計における重要な側面は、初期から特定値へ、それぞれの制御変数または制御パラメータを調整する際、短い遷移期、および遷移期に、ふらつきがほとんどないことである可能性がある。これらの組み合わせは、制御変数または制御パラメーターの値を、監視手段２０２により継続的に監視でき、実測および特定値の差異を少なくするために、調節手段２０４により適切な調節を行うためのそれぞれの制御要素に影響を与えるために、その値を特定値と比較することができる、アナログの、ハードウエアに組み込まれている形態で使用することができることは、当業者には明らかとなろう。
【００８０】
さらに、組み合わせは、複合デジタルハードウェア／ソフトウェア環境で使用することができることは、当業者には明らかとなろう。追加選択サンプリング、データ収集およびデジタル処理の関連のある影響は、当業者には周知である。Ｐ、Ｉ、Ｄ組み合わせ制御は、フィードフォワードおよびフィードバック制御スキームで実行することができる。
＜修正制御＞
修正またはフィードバック制御において、適切な監視手段２０２により監視された制御パラメーターまたは制御変数の値は、特定値と比較される。制御信号は二つの値の偏差により決定され、偏差を少なくするために制御要素に提供される。例えば、出力ガスが所定のＨ2：ＣＯ比を超える場合、演算手段２０４にあるようなフィードバック制御手段は、Ｈ2：ＣＯ比を特定値に戻すために添加酸素の量を増加するような、入力変数の一つへの適切な調節を決定することができる。適切な調節手段２０６により、制御パラメーターまたは制御変数への変更に影響を与える遅延時間は、時にループタイムと呼ばれる。例えば、プラズマ熱源１５、４４の電力、システム内の圧力、炭素を多く含む添加物の入力速度、または酸素もしくは蒸気流速を調整するためのループタイムは、３０から６０秒に達することがある。
【００８１】
一実施例では、生成ガス構成は、上述のフィードバック制御スキームにおける比較に使用される特定値であり、そのため、生成ガス内のＣＯおよびＨ2の量の固定値（または値の範囲）は、特定される。一実施例では、特定値は生成ガス発熱量の固定値（または値の範囲）である。
【００８２】
フィードバック制御は、直接監視を必要とする、またはモデル予測が満足であるところの、すべての制御変数および制御パラメーターに必要とされる。フィードバック制御スキームでの使用に向いているガス化システム１０の制御変数および制御パラメーターは多くある。直接感知および制御され、その制御は実際上他の制御変数や制御パラメーターに依存しない、制御変数や制御パラメーターのための制御サブシステム２００の側面において、フィードバックスキームは効果的実行することができる。
＜フィードフォワード制御＞
フィードフォワード制御処理は、制御変数および制御パラメーターに監視なしで影響を与えるために、入力パラメーターを処理する。ガス化システムは、一つ以上のプラズマ熱源（１５、４４）の一つに供給される電力の量のような、多くの制御パラメーターに対して、フィードフォワード制御を使用することができる。プラズマ熱源（１５、４４）のアークの電気出力は、例えば、アークを維持するためにトーチに供給される電流をパルス変調する、電極間の距離を変え、トーチ電流を制限し、またはプラズマの構成、方向もしくは位置に影響を与えるといった、様々な異なる方法で制御することができる。
【００８３】
ガスもしくは液体改質または粉体形における、またはスプレーあるいは、他の方法でノズルを通して注入することができるガス化反応槽１４に提供することができる処理添加物の供給速度は、たとえば、フィードフォワードの方法で、特定の制御要素により制御することができる。しかしながら、添加物の温度または圧力の効果的な制御は、監視および閉ループのフィードバック制御を必要とすることがある。
＜ファジー理論制御および他の種類の制御＞
ファジー理論制御および他の種類の制御は、フィードフォワードおよびフィードバック制御スキームで同様に使用することができる。これらの種類の制御は、特定の結果に影響を与えるための入力変数または入力パラメーターの変更方法を予測するために、プラズマ改質反応力学が模られ模倣される点で、伝統的なＰ、Ｉ、Ｄ組み合わせ制御から大幅に外れ得る。ファジー理論制御は通常、反応力学（一般に、システム力学）の漠然とした、もしくは実証的説明、またはシステムの作動条件のみを必要とする。ファジー理論または他の種類の制御の側面および実行上の考慮すべき事項は、当業者には周知である。
【００８４】
当然のことながら、本発明の前述の実施例は典型的であり、様々に変えることができる。かかる現在および将来の変化は、本発明の精神と範囲からの逸脱と見なされるものではなく、当業者には明らかとなるようなすべてのかかる変更は、以下の請求の範囲内に含まれるよう意図される。
＜本システムと共に使用するためのガス化反応槽＞
ここで、図１から３、および図１６から２０を参照して、本炭素質原料ガス化システム１０は、１５にあるように一つ以上の処理ゾーンおよび一つ以上のプラズマ熱源を持つガス化反応槽１４を備える。ガス化反応槽１４はまた、３６にあるような原料を反応槽に入力する手段、およびガス化処理を最適な設定値で維持するために必要に応じて、３８および／または３９にあるような、蒸気および／もしくは酸素／酸化添加物、ならびに／または炭酸添加物（その内の後者は、二次原料３９として任意に提供される）のような、一つ以上の処理添加物を加える手段を備える。
【００８５】
ガス化反応槽１４は、長さ対直径の広範な比を持つことができ、垂直または水平のいずれかの向きに配置することができる。ガス化反応槽は、一つ以上のガス排気手段４０および固形残渣を除去する手段（例：炭化物、灰、スラグまたはそれらの組み合わせ）１６を持ち、それは、残渣が重力流を使用して除去されることを可能にするために、通常チャンバー（例：スラグチャンバー４２）の底のどこかに配置される排気口である。一実施例では、ガス化反応槽１４は槽の底から固形残渣を除去するために、物理移動手段を使用する。例えば、外熱スクリューは、灰副生成物をスラグ処理チャンバー４２へ移すために使用されてもよい。スラグを処理し取り扱う手段は、後ほどさらに詳しく論じられる。ここで留意すべきは、スラグはガス化が生じる（図１６から１９）同じチャンバー内で、または図２０のスラグチャンバー４２にあるような別のチャンバー内で、処理されてもよいことである。
【００８６】
本発明の一実施例では、一つ以上のプラズマ熱源１５は原料からガスへの変換処理を補助する。本発明の一実施例では、蒸気および／または酸素処理添加物３８の入力と併せたプラズマ熱源１５の使用は、ガス構成の制御に役立つ。プラズマ熱はまた、ガス化処理により生じたオフガスの、それらの構成要素への完全変換を確実にし、これらの構成要素を特定の構成を持つ生成ガスへ改質するために使用されてもよい。生成ガスは次に、一つ以上の出力ガス排気口４０を通して、ガス化反応槽１４から排出されてもよい。
【００８７】
炭素質原料のガス化（すなわち、炭素質原料から合成ガスへの完全変換）はガス化反応槽１４で生じ、高もしくは低温度、または高もしくは低圧力で進行することができる。多くの反応は、炭素質原料の合成ガス生成物への変換処理で生じる。炭素質原料が反応槽でガス化される際、ガス化に必要とされる物理、化学および熱処理は、反応器設計によって順次に、または同時に発生する。
【００８８】
ガス化反応槽１４において炭素質原料は加熱され、それによって原料はいかなる残留水分も取り除くために乾燥される。乾燥原料の温度が上昇すると、熱分解が行われる。熱分解中、揮発性成分は揮発され、原料は炭化物に変換中、タール、フェノールおよび軽揮発炭化水素ガスを放出するために熱分解される。炭化物は、有機および無機物質から成る残留物を含む。
【００８９】
得られた炭化物は、そのガス構成要素への完全変換を確実にし、後にスラグへの変換される灰副生成物を残すために、さらに加熱されてもよい。一実施例では、炭素質原料のガス化は、実行可能な燃焼の量を最小化するために、制御された酸素量の存在下で行われる。
【００９０】
乾燥、揮発および炭化物から灰への変換ステップの混合生成物は、中間オフガス生成物を提供する。この中間オフガスのガスは、炭素質原料の合成ガスへの変換を完了するために、通常一つ以上のプラズマ熱源によって、および制御された蒸気量の存在下でさらに加熱されてもよい。この最終ステップは、改質ステップとしても言及される。
【００９１】
一つ以上のプラズマ熱源は、すべての反応が同時に起こるように位置付けるか、またはそれらが順次に起こるように反応槽内に位置付けることができる。いずれの構造においても、熱分解処理の温度は、プラズマ熱源の反応器内への封入により上昇する。
【００９２】
ガス化反応は熱によって促され、それは、反応チャンバーを熱するために電気または化石燃料（例：プロパン）を加える、または反応に熱を供給する、発熱ガス化反応を促す反応物質として空気を加えることによって促すことができる。いくつかのガス化処理はまた間接加熱を利用し、ガス化反応器における供給材料の燃焼を回避し、窒素および余剰二酸化炭素による生成ガスの希釈を回避する。
【００９３】
いくつかのガス化反応槽１４の設計は、原料の合成ガスへの変換処理が一段階の処理で行われる、すなわち、ガス化および改質ステップの両方がシステム内の一つのゾーンにおいて通常行われる。そのような場合、ガス化反応槽１４から排出される生成ガスは、合成ガス生成物となる。
【００９４】
本発明の一実施例では、一段階処理が単一チャンバーの反応槽１４内で行われ、そこでガス化および改質ステップの両方は同じチャンバー内で行われると考えられる。例えば、図１６から１９で描写される反応槽の実施例は、単一チャンバーおよび任意で単一ゾーン（すなわち、特に図１６および１８の実施例）の反応槽を含むと解釈することができ、そこではガス化および改質処理が槽１４のメインチャンバー内で生じ、単一ゾーン槽の場合は、一つ以上のプラズマ熱源１５付近で生じる。
【００９５】
本発明の一実施例では、変換処理は二つの段階で行われ、最初は原料からオフガスへの段階、次にオフガスから合成ガス（改質）への段階が続く。かかる二つの段階処理において、単一チャンバーの反応槽内に少なくとも二つの異なるゾーン（ガス化ステップのための第一ゾーン、および改質ステップのための第二ゾーン）が必要とされる。
【００９６】
他のガス化反応槽１４の設計は、原料から合成ガスの変換処理が、複数のゾーンで行われる、すなわち、ガス化および改質ステップが互いからある程度分けられ、システム内の異なるゾーンで行われる。これらの種類のガス化反応槽では、処理は、一つのチャンバー内の複数のゾーン（例：図１７および１９の実施例は、複数ゾーン、単一チャンバーの槽を描写していると解釈され得る）、別チャンバー（例：図２０の実施例）、またはそれらの特定の組み合わせのいずれかにおいて生じ、そこでゾーンは互いと流体連通する。ここで留意すべきは、スラグはまた同じチャンバー内（図１６から１９）、または、図２０のスラグチャンバー４２におけるように、別チャンバー内で、処理されてもよいことである。
【００９７】
複数領域のガス化反応槽において、第一、または一次ゾーンは、（残留水分がある場合）原料を乾燥させるために原料を加熱し、原料の揮発性成分を抽出し、また得られた炭化物を任意で気体および灰に変換するために使用され、それによりオフガス生成物を生成し、一方で第二ゾーンは、オフガスの合成ガス生成物への完全変換を確実にするためのプラズマ熱を応用するために使用される。二つ以上のはっきりと異なるゾーンが、原料のガス化およびオフガスから合成ガスへの変換に使用される場合、ガス化反応槽の最終領域から排出される生成ガスは合成ガスである。
【００９８】
本発明のガス化反応槽１４は一つ以上の処理添加物入力手段３８を任意で備え、それは、ガス化処理に役立つ酸素、空気、酸素富化空気、蒸気または他のガスのようなガスを、ガス化反応槽１４に添加するために提供される。処理添加物入力手段３８はまた、ガス化槽への炭素を多く含む処理添加物の添加のための手段を提供し、それはまた二次原料入力手段３９（図１６から２０は、一次原料入力手段３６および任意の二次原料入力手段３９を実例的に組み合わせる混合原料入力手段を定義する）により提供されてもよい。従って、処理添加物入力手段３８は、空気（または酸素）入力ポート、および／もしくは蒸気入力ポート、ならびに／または炭素を多く含む材料の入力ポートを含むことができ、その内の後者は、二次（または混合）原料オプション３９により任意で提供される。これらのポートは、処理添加物の槽全体への最適な分配のために、反応槽内に位置付けられる。処理添加物の添加は、後ほどさらに詳しく論じられる。
【００９９】
一実施例では、炭素を多く含む添加物／原料は、混合原料が入力手段３６（混合入力３６および３９）によりガス化槽１４へ入るように、主要または一次原料へ添加される。様々な入力設定は、主要原料、任意の二次原料（例：炭素を多く含む添加物）および混合原料（混合された主要および二次原料／炭素を多く含む添加物）を入力すると見なされてよいことを、当業者は理解しよう。
【０１００】
炭素を多く含む添加物（または二次原料）は、ガス化処理に利用可能な炭素量を増加させるために、原料のガス化段階に添加できる炭素源である、いかなる材料であってもよい。ガス化されている原料への炭素を多く含む材料の追加は、特定の構造を持つ合成ガスの形成を確実にするのに役立つ。本発明に従って使用可能な炭素を多く含む添加物の例は、タイヤ、プラスチックまたは高品位石炭を含んでもよいが、これらに限定されない。
【０１０１】
一実施例では、炭素質原料のガス化を促すために必要な熱は、熱風により提供される。かかる実施例では、ガス化反応槽１４は、ガス化領域へ熱風を取り込むための、一つ以上の熱風入力手段を備える。熱風入力手段は交換気用吸気口を含む。これらの吸気口は、原料の気体への変換を開始し促すために反応槽１４全体へ熱風を分配するために、反応槽内に位置付けられる。
【０１０２】
図２５の典型的な実施例を参照して、そこで描写されるガス化反応槽１４は、三つのガス化ゾーン（例：１４−１、１４−２、１４−３）に細分される水平面指向のガス化チャンバーを備え、それらゾーンは、各ゾーンで乾燥、揮発および炭化物から灰への変換（または炭素変換）のそれぞれを順次に進めることにより、炭素質原料のガス状分子の抽出の最適化を提供する。これは、第一ゾーン１４−１において一定の温度範囲で原料が乾燥され、次に第二ゾーン１４−２へと材料が移動し、ここで別の温度範囲で揮発が生じ、次に第三ゾーン１４−３への材料が移動し、ここで別の温度範囲で炭化物から灰への変換（または炭素変換）が生じることにより完了する。
【０１０３】
前記三つのゾーンは図２９で概略的に描写され、そこで典型的な反応比は、乾燥処理が揮発および炭素変換処理に優先して最重要である第一ゾーンから、揮発処理が重要となる第二ゾーン、および材料が実質的に完全に乾燥し、炭素変換処理が重要となる第三ゾーンへと経過するように描写される。
【０１０４】
ガス化処理の水平の展開は、図２０の反応槽１４内のその特定の場所における原料の材料特性に応えて、ガス化処理の一つ以上の段階を領域別に進めることによって、ガス化処理の最適化を可能にする。従って、この反応槽１４が使用される原料の特性によって、二つ、三つ、四つまたはそれ以上のステップに分けられる可能性があることは、当業者には明らかとなろう。以下の考察は、反応槽を三つのステップに分けることを記載する。しかしながら、図２０の槽１４により提供される典型的な実施例は、厳密に言えば三つのステップに制限されない。
【０１０５】
一実施例では、手段は、ガス化処理（乾燥、揮発、炭化物から灰への変換）の特定の段階を促進するために、ガス化反応器の中で材料を移動させるために提供される。ガス化処理の制御を可能にするために、ガス化反応器内の材料の移動を制御する手段もまた提供される。反応槽内の材料の横方向の動きは、一つ以上の水平移動ユニットの使用により実現することができる。これは、移動速度、各水平移動手段の移動する距離、および複数の水平移動手段が互いとの関連で移動する順序を変えることにより、水平移動手段で実現する。一つ以上の水平移動手段は協調的な方法で作動する、または個々の水平移動手段は独立して作動することができる。原料の流速の制御および積み重なりの高さを最適化するために、個々の水平移動手段は、異なる速度で、異なる移動距離で、異なる移動頻度で個別に移動することができる。水平移動手段は、反応槽の厳しい条件の中で効果的に作動することができなければならず、特に高温度で作動できなければならない。
【０１０６】
原料は第一ステップ１４−１に送られる。第一ステップの通常の温度範囲（原料の積み重なりの底で測定）は、３００から９００℃の間である。ここでの主要な処理は、一定の揮発および一定の炭素から灰への変換を伴う乾燥処理である。これらの処理は、主に２５から４００℃で生じる。乾燥の量が次第に減ると温度は上昇し、水平移動手段は、統合制御システム２００またはそのサブシステムによって指示されるように、第二ステップ１４−２へと材料を移動させる。
【０１０７】
第二ステップ１４−２では、材料は処理添加物によって処理され、４００から９５０℃の底の温度範囲を持つ。ここで生じる主要処理は、乾燥作業の残りと揮発処理、および相当量の炭素変換（炭化物燃焼）である。これらの処理は、主に４００から７００℃で生じる。揮発の量が次第に減ると温度は上昇し、水平移動手段は、第三ステップ１４−３へと材料を移動させる。
【０１０８】
第三ステップの温度範囲は、６００から１０００℃の間である。第三ステップ１４−３の主要処理は、揮発の残りと炭素変換処理である。この時までに、水分のほとんどは材料から除去され、通常の温度範囲は６００から１０００℃である。炭化物変換の量が次第に減ると温度は上昇し、水平移動手段は、固形残渣（ほとんど灰）をチャンバーの排気口を通して、さらなる処理のために固形残渣取り扱いシステム１６へと移動させる。
【０１０９】
水平移動手段は、水平移動ユニット、モーター手段および作動装置を備える。個々の水平移動ユニットは、移動要素および案内要素を含む。一実施例では、移動要素はシェルフまたはプラットフォームであり、そこで材料のほとんどはシェルフ／プラットフォームの上部に置かれることにより、ガス化反応器内を移動する。材料の一部はまた、移動可能なシェルフ／プラットフォームの先端によって押されてもよい。案内要素は、反応槽の側壁に配置される一つ以上の案内チャネル、案内トラックまたはレール、案内トラフまたは案内チェーンを含むことができる。
【０１１０】
案内のはめ合い部分は、案内要素に移動可能にかみ合うために大きさが決められた、一つ以上のホイールまたはローラーを含むことができる。本発明の一実施例では、案内のはめ合い部分は、案内トラックの長さに従って滑るように構成される蹄鉄を備える滑り部分である。任意で、蹄鉄はさらに少なくとも一つの交換式摩耗パッドを備える。
【０１１１】
水平移動手段を推進する力は、モーターおよび駆動システムを含むモーター手段により提供される。一実施例では、モーター手段は、順方向または逆方向にモーター出力シャフトを動かす、電気変速モーターである。任意で、スリップクラッチがモーターおよびモーター出力シャフトの間に提供されることもある。モーターはさらに変速装置を備えてもよい。
【０１１２】
水平移動手段の移動は、油圧システム、チェーンおよびスプロケット・ドライブ、またはラックおよびピニオン・ドライブによりもたらされることができる。モーターの円運動を直線運動へ変えるこれらの方法は、ユニットを位置合わせされた状態に保ち、それにより機構の妨害の可能性を最小化するのを助ける上で、ユニットのそれぞれの側で、同期化された方法で応用できるという利点を持つ。
【０１１３】
一実施例では、チャンバーの側壁は、必要とされる材料の体積を持ちながらも、空気の有用な浸透のための十分な小さい幅を実現するために、底に向かって中心へ傾斜する。傾斜角度は、材料が処理の間チャンバーの底に向かって落ちることを確実にするために、十分急勾配に作られる。
【０１１４】
一実施例では、ガス化チャンバー１４は、任意で半円ドームまたは丸屋根、および先細になった下方の部分を含む横断面の、横長の槽である。
図３０から３２を参照して、上述のガス化処理の乾燥、揮発および炭化物から灰への変換ステップはまた、垂直面指向のガス化反応槽１４で実行することができる（図３２Ａおよび３２Ｂで概略的に描写）。かかる実施例では、ガス化反応槽１４は一つ以上のガス化チャンバーを備え、その内の少なくとも一つは垂直面指向で、炭素質原料からのガス状分子の抽出の最適化を可能にする、回転ホイール１３０にあるような、制御可能固体除去手段を備える（例：単一チャンバー−図３０、複数チャンバー−図３１）。
【０１１５】
図３０および３１に一般的に示すように、垂直面指向のガス化槽１４は、ガス化チャンバーの上部に近接した原料入力３６、３９、チャンバーの底に近接した一つ以上の吸気口３８、ガス排気口４０、固形残渣をチャンバーの外に運ぶためにチャンバーの底部にある、固形残渣排出口１６および固形除去手段１３０を備える。ガス化チャンバーは、通常一つ以上の加熱手段により加熱される。従って、垂直面指向の反応槽内の材料は、基本的に一連のゾーンを通過し、それらゾーンのそれぞれはガス化処理の特定の段階を推進する温度範囲になる。
【０１１６】
チャンバー内の材料は、上方の原料入力エリアから固体除去手段１３０の働きにより、固形残渣排出口の端に向かって下に移動するにつれて、異なる程度の乾燥、揮発および炭化物から灰への変換を経由する。これは、原料の材料のチャンバー内における下方への制御された移動、および底部からチャンバーへと送り込まれている予熱空気の上方移動との逆流の形成により実現される。そのようにして、温度は垂直面指向の材料の上部で最も低く、揮発を可能にするために、温度がより高い、別のゾーンへの材料の下方移動に先立って、かなりの程度まで乾燥を生じさせる。最後に材料は、温度がかなりの量の炭化物から灰への変換を生じさせるくらい十分に高い、別のゾーンへ下方移動する。いったん炭化物から灰への変換が原則的に完了すると、固体は固体除去手段によりガス化チャンバーから除去される。
【０１１７】
一実施例では、ガス化反応槽は複数のチャンバーを備える。別の実施例では、温度ゾーンのそれぞれは異なるチャンバーに配置される。
設計目標が達成されることを確実にするために、固形残渣排出口は垂直寸法の点で小さい。固体がチャンバーから排出される設定は、それに続くチャンバーの設計および機能によって決まり、当業者によって容易に決定されることが可能である。
【０１１８】
ガス化チャンバーは、必要とされる固体滞留時間に対して適切な量の材料を収容するために、大きさが決められた内部体積を持つ、内側が耐熱のチャンバーである。本発明の一実施例では、ガス化チャンバーはチューブ状または円形である。別の一実施例では、内壁の下位部は、固形残渣排出口の上で内部に傾斜している。さらなる実施例では、ガス化チャンバーの高さはその直径の約１から３倍である。別の実施例では、ガス化チャンバーの高さはその直径の約１から２倍である。さらなる実施例では、ガス化チャンバーの高さはその直径の約１．５倍である。
【０１１９】
処理中、原料は原料入力を通して一つの端で反応槽に取り入れられ、ガス化反応槽の様々なゾーンを通って、供給端から固形残渣出力端に向かって移動する。供給材料は槽内を進行する際、その揮発性部分がオフガスを作るために揮発され、得られた炭化物がさらなるオフガスおよび灰を作るために反応するにつれて、その質量および体積を失う。一つの実施例では、灰はスラグを形成するために続いて加熱される。処理中、空気（酸素）は、底部に近接した反応槽１４の側面に配置される、一つ以上の吸気口３８を通して取り込まれる。
【０１２０】
ガス化処理（乾燥、揮発、炭化物から灰への変換）の特定の段階を促進するために、ガス化反応器の中で材料を移動させるための手段が提供される。ガス化処理の制御を可能にするために、ガス化反応器内の材料の移動を制御する手段もまた提供される。ガス化反応器内の材料の上下移動の速度は、制御可能固体除去手段（例：ホイール１３０）の使用によって調整される。
【０１２１】
固形残渣除去手段１３０は、当技術分野で周知である多様な装置のひとつであることができる。例として、ねじ、押し込みラム、水平回転へら、水平回転アーム、水平回転ホイールを含むが、これらに限定されない。
【０１２２】
一実施例において、固体除去装置は、チャンバーの外に固形残渣を移動させる薄い輪止めの付いた回転へらである。別の実施例において、固体除去装置は、チャンバーの外に固形残渣を移動させるねじ一式である。この場合、側面の底の部分は傾いており、そのため固形残渣はねじの方向に向けられている。さらに別の実施例において、固体除去装置は、チャンバーの外に固形残渣を移動させるひとつの薄いラムである。この場合、ラムと反対の側面の底の部分は傾いており、そのため固形残渣は、出口穴のスペースを残して、ねじの方向に向けられている。
【０１２３】
本発明のさらに別の実施例において、固体除去装置は移動要素および案内要素を含む。適切な移動要素は、棚／プラットフォーム、押し込みラム、すき、スクリューエレメントもしくはベルトを含むが、これらに限定されない。案内要素は、ガス化チャンバー、案内トラックまたはレール、案内トラフまたはチェーンの底壁に配置された一つ以上の案内チャネルを含む。案内固定材は、案内要素に可動して固定するためにサイズが決められた一つ以上のホイールまたはローラーを含む。本発明の一実施例において、案内固定材は、案内トラックの長さに沿って摺動するように構成される蹄鉄を備えた摺動部材である。蹄鉄はさらに少なくもひとつの交換可能な摩耗パッドを任意に含む。
【０１２４】
ガス化反応槽１４は、当技術分野で周知の多くの標準反応器のうちの一つに基づくことができる。当技術分野で周知の反応器の例は、固体、微粒子、スラリー、液体、ガス、またはそれらのいずれかの組み合わせの形状の原料を、原料入力手段３６および３９を通して受け入れるようそれぞれ構成された噴流床反応槽、移動床反応器、流動床反応器、および回転炉反応器が含まれるが、これに限定されない。原料は一つ以上の吸入口を通って導入され、その吸入口は完全かつ効率のよい原料から生成ガスへの変換のための最適な加熱への露出を提供するために配置される。
【０１２５】
また、本発明の一実施例よると、ガス化反応槽壁は耐熱材料で内側を覆われている。耐熱材料は、当技術分野で知られている従来の耐熱材料の一つ、または組み合わせであってよく、それらは高温（例：約１１００℃から１４００℃の温度）不圧反応のために、槽内での使用に適している。かかる耐熱材料の例は、高温焼成セラミック（酸化アルミニウム、窒素アルミニウム、ケイ酸アルミニウム、窒化ホウ素、リン酸ジルコニウムなど）、ガラスセラミック、クロミア耐火物、ならびにアルミナ、チタニアおよび／またはクロミアを含む高アルミナ耐火物を含むが、これらに限定されない。
【０１２６】
当業者には理解されるように、ガス化反応槽の異なる領域は、特定の領域の温度および腐食条件に応じて、異なる耐熱材料で内側を覆われてもよい。例えば、スラグが存在する場合、非濡れ性耐熱材料を使用することは都合がよいことがある。
【０１２７】
図１６から２０および２９から３１を依然として参照すると、一つ以上のプラズマ熱源１５を移動することによって、ならびに他のプラズマ熱源、他の熱源および同種のものを加えることによって、描写された層１４は本開示の全般的範囲および精神からの逸脱なく、単一または複数ゾーンの反応槽１４として作動されてもよいことを、当業者は理解されよう。さらに、統合制御サブシステム２００のある本石炭ガス化システム１０は、上記のいずれかの、または他のそのようなガス化槽構成によって実行されてもよいことを、理解されよう。実際に、特定の種類の反応槽内で実行されるガス化および／または改質処理に関連する、一つ以上の直接または間接処理パラメーターを監視することにより、これらの処理が、単一または複数チャンバーの一つのゾーンまたは複数のゾーンで行われるかにかかわらず、本システム１０の制御手段２００は、調節手段２０６により処理出力および効率を最大化する継続中の処理を監視および調整するために、監視手段２０２を介し使用されてもよい。
【０１２８】
上記の説明は、典型的な反応槽の種類、構成およびそれらに使用される材料を多く提供しているが、他の反応槽の種類、構成および／または材料は、本開示の全般的範囲および性質から逸脱することなく使用されてもよいことが、当業者にはさらに理解されよう。
＜プラズマ加熱手段＞
図１から３および１６から２０、２９から３１を現在参照すると、本発明のシステムは、ガス化処理によって生成されたオフガスを特定の構成を有する生成ガスへ完全変換することを確実にするために、１５で見られるような一つ以上のプラズマ加熱手段を使用している。プラズマ加熱手段１５もまた、初期ガス化処理を行う炭素質原料を加熱するために任意に提供される。
【０１２９】
本発明の一実施例において、一つ以上のプラズマ熱源１５は、特定の生成ガス変換にオフガスを最適化するために位置付けられる。一つ以上のプラズマ熱源の位置は、ガス化システムの設計、例えば、システムが一段階または、二段階ガス化処理を用いるかどうかにより選択される。例えば、二段階ガス化処理を用いる一実施例において、プラズマ熱源は、オフガス吸気口に関連した位置に配置され、オフガス吸気口の方向に向けられる。一段階ガス化処理を用いる他の実施例において、一つ以上のプラズマ熱源１５は、ガス化反応槽の中心に向かって伸びる。全ての場合において、プラズマ熱源の位置は、システムの要件により、またオフガスを特定の精製ガスへ最適変換するために、選択される。
【０１３０】
一つ以上のプラズマ熱源が用いられる場合、熱源の位置もまた、二つ以上の熱源間で確実に衝突がないように、例えば、どの熱も他から熱を直接受けない、または、ひとつのプラズマ熱源から他へアーク放電がないように選択される。
【０１３１】
さらに、一つ以上のプラズマ熱源の位置は、プラズマプルームで反応槽の壁への衝撃を避けるために選択され、それにより、「ホットスポット」の形成を避けることが出来る。
適用時に、一定期間、適切に高温を生み出すことが出来る様々な市販のプラズマ熱源は、このシステムに使用することが出来る。一般的に、そのようなプラズマ熱源には、出力において１００ｋＷから、６ＭＷを超える様々なサイズがある。プラズマ熱源あるいは、プラズマトーチは、適切なワーキング・ガスを一つあるいは組み合わせて使用する。適切なワーキング・ガスは、空気、アルゴン、ヘリウム、ネオン、水素、メタン、アンモニア、一酸化炭素、酸素、窒素、および二酸化炭素を含むが、これらに限定されない。本発明の一実施例において、プラズマ加熱手段は、オフガスを合成ガスへ変換するために必要とされる、約９００から、約１１００℃を超える温度を生み出すために、継続的に作動する。
【０１３２】
この点において、代替プラズマトーチ技術の多くは、本システムの使用に適している。例えば、誘導結合プラズマトーチ（ＩＣＰ）が使用される場合があると理解される。また、適切に選択された電極材を用いて移行アークトーチおよび非移行アークトーチ（ＡＣおよびＤＣ両方）が使用される場合があると理解される。例えば、電極材は、銅およびその合金と、ステンレス鋼およびタングステンから選択されるが、これに限定されない。黒鉛トーチも使用される場合がある。通常の技術を有する当業者ならば、適切なプラズマ加熱手段を選択することが出来る。
【０１３３】
一実施例において、プラズマ熱源１５は一つ以上の空気／酸素および／または、蒸気入力吸入口３８に隣接して設置され、それにより空気／酸素および／または蒸気添加物がプラズマ熱源１５のプラズマ放電の経路に注入される。
【０１３４】
さらなる実施例において、プラズマ熱源１５は、可動式、固定式あるいは、そのいかなる組み合わせである。
本発明の処理は、変換処理を行うため、また、変換機からのガス流量およびガス構成が、所定の厳しい範囲内に確実に残存するために、プラズマ加熱の可制御性を用いる。また、プラズマ加熱の制御は、異なる炭素質原料源の構成あるいは同種の原料源における自然変動に関係なく、生成ガスの効率的な生成に役立つ。
【０１３５】
一実施例において、制御サブシステム２００は、反応の全体エネルギー収支を管理し、最適な設定点を維持するために、プラズマ熱源１５の出力を調節するための制御手段２０６を有する。反応のエネルギー収支を管理するため、プラズマ熱源１５への電力供給は、炭素質原料の構成と、それに対応する蒸気および空気／酸化剤の供給対応率、および炭酸処理添加物の変動にかかわらず、一定のガス化システム温度を維持するために調節される。
【０１３６】
制御サブシステム２００は、炭素質原料および処理添加物が、ガス化反応槽に導入される速度、温度センサー、また、システム１０全体において有利な場所にある他のそのような監視手段２０２により決定されるシステムの温度など、測定されたパラメーターに関連してプラズマ熱源１５の電気定格を制御する。プラズマ熱源１５の電気定格は、例えば、ガス化反応槽１４の熱損失を補うため、また原料を効率良く処理するために十分でなければならない。
【０１３７】
例えば、反応槽１４の温度が高すぎる場合、制御サブシステム２００は、プラズマ熱源１５（例：図１４および１５の制御手段２０６−４を介し）の電気定格を下げるよう指令を出し、逆に、融解温度が低すぎる場合、制御サブシステム２００は、プラズマ熱源１５の電気定格を上げるよう指令を出す。
【０１３８】
本発明の一実施例において、制御サブシステム２００は、最良の高温処理ゾーンの維持を確実にするため、また、反応槽１４全体の周りの有利なガス流量パターンを引き起こすために、トーチの位置を制御するための制御手段２０６を有する。
【０１３９】
また、４４に記載の通り、一つ以上のプラズマ熱源は、後述されるように、ガス化処理の固形残渣の完全処理を確実にするために、任意に提供される。
＜原料入力手段＞
さらに図１から３および１６から２０、２９から３１を参照に、本発明は、入力手段３６などのガス化反応槽１４に炭素質原料を取り込む手段を有する。入力手段３６は、最適なガス化熱源へ露出するように原料が、反応槽１４の確実に適切な場所に置かれるように設置される。
【０１４０】
一実施例において、入力手段３６もまた、ガス化反応を最適な設定点で維持できる最適速度、確実に原料が反応槽１４に送り込まれるように供給速度を調節するための調節手段２０６を提供する。
【０１４１】
一実施例において、制御サブシステム２００は、反応の最終的な全体エネルギー収支を管理するために、原料入力率を調節するための制御手段２０６を有する。例えば、ガス化反応槽１４への原料の追加速度は、原料の生成ガスへの効率的変換を促進するために調節することができる。原料の添加速度は、特定の許容範囲内の反応設定点を維持しながら、システム１０の設計仕様書に従い、システムの全体エネルギー収支を管理するために選択される。
【０１４２】
入力手段３６の選択は、原料供給の散布、作動圧力、および原料の粒度における要件に従って行われる。入力手段３６は、例えば、ねじ錐、圧気輸送システム、プランジャシステム、ラムシステム、回転弁システム、または、トップ重力送りシステムを有する。
【０１４３】
ある実施例では、ガス化処理のための原料として、都市ごみを使用することができる。都市ごみは、固体または液体の形で提供されてもよい。固体廃棄物のガス化のために、廃棄物は、固体廃棄物供給用ポートを介して反応槽１４に取り込まれる。反応槽はまた、液体廃棄物の処理のための液体廃棄物供給用ポートを任意に含むように設計されてもよい。廃棄物の反応槽１４への供給は、固体廃棄物ポートおよび／または液体廃棄物ポート（処理されている廃棄物のタイプによる）を介して開始される。
【０１４４】
また、反応槽１４へ取り込む前に、原料を準備するための調節処理も使用することができる。本発明の一実施例では、原料は、その性質に依存して、また効率を向上させ特定の生成ガス構成およびエネルギー出力を達成するために、前処理して、例えば、寸断、粉砕、剪断などにより全体の体積を減らすかあるは表面積対体積の比率を上げることができる。他の実施例では、原料は、必要に応じて、残存した湿気を除去するために、事前乾燥ステップに供してもよい。
＜処理添加物入力手段＞
依然として図１から３および１６から２０、２９から３１を参照し、処理添加物は効果的な炭素質原料から生成ガスへの効果的な変換を容易にするように（例えば３８のような処理添加物ポートを介して）反応槽１４へ任意に加えられてよい。処理添加物の種類と分量は、炭素質原料変換を最適化するために、規制当局排ガス制限に関する遵守の維持および運営費を最少化しながら炭素質原料の変換を最適にするように、慎重に選択される。蒸気入力は、燃料ガスおよび／または無害化合物への入力廃棄物の分解要素の変換を最大化するために十分な遊離酸素および水素を確保する。空気／酸化剤入力は、比較的費用の高いプラズマアーク入力熱を最小限に抑えながら、燃料ガスへの炭素変換の最大化（遊離炭素の最小化）および最適な処理温度維持の釣り合いを取る化学反応の処理を支援する。ガス化に供する原料の炭素含量を補うために、炭素を多く含む添加物（第２の原料入力手段３９を介して提供されてもよい）が添加されてもよい。それぞれの添加物の分量は、処理される廃棄物に対する出力によって特定されるように、設定され非常に厳しく制御される。酸化剤の注入量は、処理全体が燃焼に関連する望ましくないどの処理特性にも近づかないことを確実にし、また地元地域の排ガス基準に合致およびそれに勝りながら、比較的費用の高いプラズマアーク入力熱に対する最大の妥協点を確実にするため、慎重に設定される。
【０１４５】
目標としての電気エネルギー生成を含む実施例において、高い燃料値を有するガスを生成することは有利な点である。高性質燃料ガスの生成は、反応状態を制御することによって、例えば変換処理における様々なステップで加えられる処理添加物の量を制御することによって達成され得る。
【０１４６】
従って、ガス化反応槽１４は、ガス化処理に有用な酸素、空気、酸素富化空気、蒸気またはその他のガスなどガス添加のために提供されてよい、複数の処理添加物入力ポート３８を含むことができる。処理添加物入力手段３８は、空気入力ポートおよび蒸気入力ポートを含むことができる。これらのポートは、反応槽１４を介して処理添加物を最適に分配するために反応槽１４内に位置付けられる。蒸気入力ポートは、蒸気が反応槽から出る前に高温度処理ゾーン内へ、および生成ガスの塊へ向けるために戦略的に配置される。空気／酸化剤入力ポートは、処理ゾーンへの処理添加物の全範囲適用を確実にするように反応槽内および周囲に配置されることができる。
【０１４７】
処理添加物入力ポート３８は、炭素を多く含む材料の添加のための入力ポートを含んでもよいが、これは第２の原料入力手段３９を介して添加されてもよい。本発明のガス化処理に有用な原料は、いかなる炭素質材料と考えることができ、またそのために、本質的に極めて幅広い炭素含量であってよい。本発明の一実施例では、３８および／または３９のように、ガス化に供する原料の炭素含量を補うために、本システムは炭素を多く含む原料の添加のための手段を提供する。高炭素含有の原料を提供することにより、生成ガス中の炭素バランスが増加する。
【０１４８】
ある実施例では、炭素を多く含む材料をガス化反応槽１４に添加するための手段も提供される。炭素を多く含む材料は、反応槽１４に添加する前に、原料と事前に混合すること（混合原料入力）により添加されるか、または３８および／または３９のように、専用の炭素を多く含む添加物のポートを介して添加されてよい。
【０１４９】
一実施例において、制御サブシステム２００は、反応の全体エネルギー収支を管理し、所定の許容範囲内で最適な設定点を維持するために、炭素を多く含む原料の添加を制御する手段を有する（例えば図１４および１５の調節手段２０６−１により）。
【０１５０】
一実施例において、制御サブシステム２００は、反応の全体エネルギー収支を管理するように反応物質を調整するための制御手段２０６を含む。例えば、処理添加物は、原料の生成ガスへの効果的な変換を容易にするように反応槽１４へ加えられてよい。処理添加物の種類と分量は、特定許容範囲内の反応設定点を維持しながら、システムの設計仕様に従ってシステムの全体エネルギー収支を管理するために慎重に選択される。本発明の別の実施例において、制御サブシステム２００は、最適な反応設定点を維持するように処理添加物の添加を制御する制御手段２０６を含む。制御サブシステム２００の別の実施例において、制御手段２０６は、反応設定点を維持するための更なる２つ以上の処理添加物を制御するように提供される。さらに別の実施例において、制御手段２０６は、反応設定点を維持するための更なる３つ以上の処理添加物の添加を制御するように提供される。
【０１５１】
一段階処理（つまり、ガス化および再形成のステップが両方とも単一室ガス化反応槽１４で行われる場合）を含む実施例において、処理ゾーンへの処理添加物の全範囲を確実にするために、３８および／または３９のように、添加物入力ポートをガス化反応槽１４内および周囲に配置させることは有利な点である。処理が二段階で行われる（つまりガス化および再形成がシステム内の不連続領域で行われる）実施例において、特定の添加物ポート（例えば、蒸気入力）をプラズマトーチまたはその他のプラズマ熱源１５により再形成が行われる領域の近位に配置することは利点となり得る。
【０１５２】
さらなる実施例において、制御サブシステム２００は、様々な監視手段２０２および演算手段２０４を介して生成ガスの構成を監視および分析するステップから得られるデータに基づき添加物入力を調整するための制御手段２０６を含み、それによって該データは原料の見積に使用される。生成ガス構成データは、継続的に取得されてよく、空気、蒸気および添加物の炭酸添加物のような添加物入力の調節がリアルタイムで行われることを可能にする（例えば、図１４および１５の制御手段２０６−１、２０６−２および２０６−３を経由）。生成ガス構成データは断続的に取得されてもよい。
【０１５３】
したがって、本発明の制御サブシステム２００は、様々な監視手段２０２により監視されながら、規定の目標レベルに従い、特定の生成ガス濃度が最適レベルではないときに、所定の目標レベルによりシステムへ添加物を導入するための制御手段２０６に見られるような手段を含む。例えば、ガス，ガスセンサーが過度の二酸化炭素を検出した場合、制御サブシステム２００は変換器への酸化剤の送出を低減させて二酸化炭素の生成を低減してよい（例えば、図１５および１６に例示された制御手段２０６−３を経由）。
【０１５４】
本発明の一実施例において、処理は二酸化炭素よりもむしろ一酸化炭素を主に生成するように調整される。そのような実施例において一酸化炭素の生成を促進するために、システムはガス状出力流の量を決定するためのセンサー、分析器またはその他の該監視手段２０２を含む。蒸気または空気／酸化剤入力からの酸素の正確な量がガス化処理において使用される場合、生成ガスは主に一酸化炭素となる。酸素が殆どない場合、相当な量の元素炭素またはカーボンブラックが形成される可能性があり、最終的に反応槽１４からの機器下流を埋めることとなる。システム内の酸素が多過ぎる場合、基本的に価値のない多過ぎる二酸化炭素が生成され、処理対象が燃料ガスを生成する場合には望ましくない。システム内の多過ぎる一酸化炭素に対応するには、注入される蒸気または空気／酸化剤は制御サブシステム２００からの適切な信号によって減少または除去される（例えば、制御手段２０６−２および／または２０６−３を経由）。
【０１５５】
ガス化反応槽１４内での炭素質原料の燃料ガスへの変換は、吸熱反応であり、つまりエネルギーは、特定の燃料ガス生成への再成形を可能にするように反応物質へ提供される必要がある。本発明の一実施例では、ガス化処理に必要なエネルギーの割合は、反応槽１４内の最初のガス化生成物または炭素質原料の一部の酸化によって提供される。
【０１５６】
反応槽１４への酸化剤へ取り込みは、反応槽１４内に部分的な酸化条件を作り上げる。部分的な酸化において、石炭の中の炭素は、完全な酸化を実現するために必要とされる化学量論的酸素量未満で反応する。使用可能な酸素の量が制限される中で、そのために固体炭素は一酸化炭素および少量の二酸化炭素へと変換され、それによってガス状の形で炭素を提供する。
【０１５７】
当該酸化はまた、熱エネルギーを放出し、それによってプラズマ熱によってガス化反応槽へと取り込まれる必要のあるエネルギー量を減少させる。それに続き、増加した熱エネルギーは、反応槽１４内に特定の反応条件を作り出すためにプラズマ熱源１５により消費される電力量を減少させる。従って、発電装置（例：燃料電池用途２６、ガスタービン２４など）の中で燃料ガスを電力へと変換することによって生成された電気のより多くが、酸素を添加するシステム内では、プラズマ熱源は、より少ない当該発電装置からの電気しか必要としないため、ユーザーに提供され、もしくは電力としてエクスポートされる可能性がある。
【０１５８】
従って、処理添加物としての酸化剤入力を使用することで、比較的高いコストプラズマアーク入力熱を最小化する一方で、必要な、最適な処理温度を維持するために、炭素を燃料ガスへと最大限に変換することを助ける。酸化剤注入量は、ガス状の形（ＣＯおよびＣＯ2）で炭素を最大限に除去することを保証するために、非常に慎重に設定されている。同時に、炭素反応のガス化（酸素との組み合わせ）は発熱反応のため、大量の熱が生成される。全体的な処理が、燃焼に関連したいずれかの好ましくない処理特性に近似していないことを確認する一方で、比較的高いコストプラズマアーク入力熱の必要性を最小化する。本発明の一実施例において、酸化剤は空気である。
【０１５９】
部分的な酸化条件が存在するとき、（燃料ガスもしくは原料の中には、酸化され、熱エネルギーを放出するために、よって、より少量の燃料ガスしか発電装置に使用できないため）反応槽内により少量の燃料ガスが生成されるが、プラズマ熱源１５、４４による消費電力の減少により、電気エネルギー生産における潜在的な損失が相殺される。本発明の一実施例において、制御サブシステム２００は、最適な反応設定点を維持するための処理添加物の添加を調整する手段を含む（例：制御手段２０６−２および／または２０６−３）。
【０１６０】
本発明の一実施例において、酸化添加物は、空気、酸素、酸素富化空気、蒸気、または二酸化炭素から選択されている。酸化処理添加物として二酸化炭素を使用する実施例において、二酸化炭素は生成ガスから回収され、処理添加物ストリームへと再利用される。
【０１６１】
変換処理の経済的目標に準じて、適切な酸化添加物の選択がされる。例えば、経済的目標が発電である場合、所定エネルギー発生技術のための最適な出力ガス構成を提供するために、酸化添加物が選択される。生成ガスからエネルギーを発生させるためにガスエンジンを使用するそれらのシステムに対して、より高い割合の窒素は、生成ガス構成において許容範囲である。当該システムにおいて、空気は許容される酸化添加物である。しかしながら、エネルギーを発生させるために、ガスタービン２４を使用するシステムにとって、生成ガスは使用前に圧縮されなければならない。当該実施例において、生成ガスの中のより高い割合の窒素は、生成ガス圧縮に関連したエネルギーコストの増加をもたらし、その一部はエネルギー生産に寄与しない。従って、特定の実施例において、酸素や酸素富化空気のような、窒素の割合が低い酸化剤を使用することは有利である。
【０１６２】
ガス化処理によって生成された燃料ガスを使用した電気エネルギーの生産を最大化しようとする、本発明の実施例において、ガス化反応槽１４で行われる燃料ガスの酸化を最小限にすることは有利である。部分的な酸化条件による燃料ガスの生産におけるいかなる減少も相殺するために、蒸気もまた酸化添加物として使用されてもよい。処理添加物としての蒸気入力の使用により、入力原料の分解要素を燃料ガスおよび／または無害な化合物へと変換することを最大化するために、十分な遊離酸素および水素を確保する。
【０１６３】
目標として電気エネルギーの生産を有する実施例に対して、高燃料値を有するガスを生産することは有利である。処理添加物としての蒸気の使用は、周知である。蒸気の存在下での炭素質原料のガス化は、主に水素および一酸化炭素で構成された合成ガスを生成する。化学技術における当業者は、燃料ガス製品の中の水素と一酸化炭素の相対的比率が、様々な処理添加物量を変換器へと取り込むことによって操作されるということを認識されたい。
【０１６４】
蒸気入力ポートは、蒸気を、反応槽１４から出ていく前に、高温処理ゾーンおよび／または生成ガス塊の中へ向けるために、戦略的に配置することができる。
＜固形残渣取り扱いサブシステム＞
図１から３および１６から２０、２９から３１をさらに参照すると、本炭素質原料ガス化システム１０は、ガス化処理の固体生成物を管理するための手段も提供する。特に、本発明は、原料／エネルギー変換処理に起因する固体副生成物、または残渣の、低浸出性を有するガラス化した均質物質への変換のための固形残渣取り扱いサブシステム１６を提供する。
【０１６５】
特に、本発明は、完全融解および均質化を促進するようにプラズマ発熱速度および固形残渣入力速度を制御することによって固形残渣／スラグ変換を最適化する、固形残渣取り扱いサブシステム１６を提供する。一実施例において、固形残渣取り扱いサブシステムは、固形残渣吸入口を有する固形残渣調整チャンバー４２（またはスラグチャンバー）と、プラズマ加熱手段と、スラグ出口と、任意で一つ以上のポートと、スラグを冷却および固体化してその最終形態にするための下流冷却手段とを備える。本発明の統合制御サブシステム２００は、プラズマ熱源４４への電力および固形残渣入力速度などの操作パラメーターを制御する手段だけでなく、固形残渣取り扱いサブシステム１６全体にわたって温度および圧力を監視するための監視手段２０２を提供することにより、固形残渣のスラグへの効果的な変換を調節するための、制御手段２０６も備える。
【０１６６】
本発明の固形残渣取り扱いサブシステム１６は、炭素質原料を異なる形態のエネルギーに変換する任意の処理から出てくる固形残渣流を処理するように適応できる。この固形残渣は、通常、粒状態であり、ガス化反応槽１４および任意でガス性質調整サブシステム２０等、一つ以上の源によってもたらされるものであってよい。いかなる場合でも、固形残渣は、冷却および固体化させる場合には極めて低い浸出性を呈する、ガラス化した均質物質に固体を変換するのに必要な温度まで加熱される。従って、固形残渣取り扱いサブシステムは、固形残渣が、当該固形残渣を融解および均質化するのに十分な温度まで上げられることを確実にする。固形残渣取り扱いサブシステムは、混じりけがない均質な（および、潜在的に商業的価値がある）スラグ生成物の形成だけでなく、スラグ中の汚染固体（すなわち、重金属）の捕捉も促進する。
【０１６７】
固形残渣の完全な処理を確実にするために、固形残渣取り扱いサブシステムは、スラグチャンバー４２内で十分な滞留時間を提供するように設計される。一実施例において、システムは、少なくとも１０分の滞留時間を提供する。別の実施例において、固形残渣取り扱いサブシステムは、最大１時間の滞留時間を提供する。さらに別の実施例において、固形残渣取り扱いサブシステムは、最大２時間の滞留時間を提供する。
【０１６８】
炭、灰、スラグ、またはそれら何らかの組み合わせの形態をとり得る固形残渣は、システムの要件および除去される生成物の種類に従って、適切に適合した出口を通る一つ以上の上流処理および当業者に既知であるような移送手段から、継続的または間欠的に、除去されることになる。一実施例において、固形残渣は、ホッパーおよび移送用スクリューのシステムを通って、スラグチャンバー４２へ押し込まれる。
【０１６９】
固形残渣は、継続的方法で、例えば、回転スクリューまたはオーガー機構を使用することによって追加され得る。例えば、一実施例においては、灰をスラグチャンバー４２へ移送するために、スクリューコンベヤーが用いられる。
【０１７０】
もう一つの方法として、固形残渣は、不連続な方式で追加され得る。本発明の一実施例において、固形残渣調整チャンバー４２に付着された固形残渣入力手段は、ラムを移送するシステムから成ってよい。そのような実施例においては、各ストロークによって槽に供給される材料の量を制御できるようラムストロークの長さを制御するために、リミットスイッチが用いられる。
【０１７１】
固形残渣入力手段は、固形残渣の入力速度が固形残渣材料の最適な融解および均質化を確実にするように制御され得るような、制御手段をさらに含むであろう。
一実施例において、プラズマ熱源４４は、灰を加熱および融解してスラグにするために用いられる。例えば約１３００℃から約１７００℃の温度の溶融スラグが周期的または継続的にスラグチャンバー４２から排出され得、その後、冷却されて固体スラグ材料を形成する。そのようなスラグ材料は、埋め立て処分する目的であってよい。もう一つの方法として、溶融スラグを容器に注入し、インゴット、レンガタイル、または同様の建設材料を形成してよい。固体生成物をさらに割って、従来の使用法のための骨材にしてもよい。
【０１７２】
従って、固形残渣取り扱いサブシステム１６は、それを通って溶融スラグがスラグチャンバー４２から排出される、スラグ出力手段を含む。出力手段は、チャンバーからの溶融スラグプールの自然な流れを容易にするために、通常、チャンバー４２の底部またはその付近に配置されている、スラグ出口ポート４６を備えてよい。溶融スラグがスラグチャンバーから流れ出る速度は、当業者には明らかであると思われる様々な手法で制御され得る。例えば、一実施例において、プラズマ加熱手段に最も近い点と出口点との間の温度差は、例えば、チャンバー内に溜まることができる固形残渣材料の容積の調節によって、溶融スラグの再固体化時間を制御するように調整され得る。
【０１７３】
スラグ出力手段はさらに、スラグチャンバー４２を密閉されたままに保つことにより、加熱要件最小化するように適合されてよい。一実施例において、出力手段は、注ぎ口またはＳトラップを備える。
【０１７４】
上述したように、溶融スラグの温度を維持し、全なスラグ抽出時間を通してずっとスラグ出口ポート４６が開いたままであることを確実にするために、一つ以上のプラズマ熱源４４の柱状噴流を、スラグ出口ポート４６にある、またはその周囲の、スラグプールに向けることも有利となり得る。この実践は、何らかの不完全に処理された材料が、スラグ抽出中に不注意で固形残渣取り扱いサブシステム１６から外れてしまう可能性を防ぐために、スラグを可能な限り均質に維持する上でも役立つであろう。
【０１７５】
溶融スラグは、当業者により理解されているような多数の異なる手法で、固形残渣取り扱いサブシステムから抽出され得る。例えば、スラグは、処理時間の終了時におけるバッチ注入、または、処理の持続時間全体にわたる継続的な注入によって抽出され得る。いずれかの注入方法によるスラグは、水浴に注入されてよく、そこでは水が外部環境とガス化システムとの間のシールとして作用する。スラグは、除去用のカート内、ケイ砂床内、または金型内に滴下されてもよい。
【０１７６】
スラグチャンバー４２の壁には、極めて高い温度（例えば、約１３００℃から１８００℃の温度）の非加圧反応で使用するのに適した、当該技術分野で知られている従来の耐火材料の一つまたは組み合わせであってよい、耐火材料で覆われている。そのような耐火材料の例は、クロミア耐火物、ならびに、アルミナ、チタニア、および／またはクロミアを含む高アルミナ耐火物を含むがこれらに限定されない。スラグチャンバーを覆うための適切な材料の選択は、スラグの腐食性質に抵抗するそれらの能力だけでなく、それらの非常に密集した（低気孔率）微細構造を理由に、それらの化学構成に従ってなされる。腐食速度は、より低い温度または重金属汚染の削減によって減少し得る。スラグが生成される場合、非濡れ性の耐火材料を選択することが有利である。
【０１７７】
固形残渣取り扱いシステムは、固形残渣を融解および均質化する際の、プラズマガスと固形残渣との間での高効率の熱伝達用に設計されている。従って、固形残渣取り扱いシステムを設計する場合には、効率的な熱伝達、十分な加熱温度、滞留時間、溶融スラグ流れ、入力固形残渣容積、および構成等の要因が考慮される。
【０１７８】
上述したように、固形残渣取り扱いシステムの物理的設計特性は、多数の要因によって決定される。これらの要因は、例えば、処理される固形残渣の構成および容積を含む。スラグチャンバーに入る固形残渣は、一つを超える源から同時に収集され得る。従って、固形残渣取り扱いシステムの内部配置およびサイズは、処理される入力固形残渣の操作特性によって決定付けられる。
【０１７９】
固形残渣取り扱いシステムの設計において検討すべきもう一つの要因は、固形残渣が、当該固形残渣を融解および均質化するのに十分な温度まで上げられることを確実にするのに必要な滞留時間である。
【０１８０】
プラズマ加熱手段の位置および配向だけでなく、使用されるプラズマ加熱手段の種類は、固形残渣取り扱いシステムの設計において検討されるべき、さらなる要因である。プラズマ加熱手段は、結果として生じる溶融固形残渣がチャンバーから流れ出るのを可能にしながら、固形残渣を、当該固形残渣を融解および均質化するために必要なレベルまで加熱するのに必要な温度を満たさなくてはならない。
【０１８１】
一実施例において、固形残渣取り扱いシステムは、損傷および摩耗によるダウンタイムを最小化するために好都合に除去および置換されることができるスラグチャンバーを備える。
【０１８２】
本発明の制御サブシステム２００は、固形残渣取り扱いサブシステム１６全体にわたって配置されている部位において、温度および任意で圧力を監視するための監視手段２０２を提供することによって固形残渣のスラグへの効果的な変換を制御し、そのようなデータは、継続的または間欠的に取得される。チャンバー内の温度を監視するための監視手段２０２は、例えば、チャンバーの外壁、または、チャンバーの頂上部、中央、および底部にある耐火物内に配置されてよい。本発明の制御サブシステム２００は、熱源４４への電力および固形残渣入力速度等の操作パラメーターを制御するための制御手段２０６も提供する。
【０１８３】
例えば、融解の温度が高すぎる場合、制御サブシステム２００は、プラズマ熱源４４の電力定格の降下を命令することができ、逆に、融解の温度が低すぎる場合、制御サブシステム２００は、プラズマ熱源４４の電力定格の増大を命令することができる。
【０１８４】
一実施例において、固形残渣取り扱いサブシステム１６は、熱を回収するための手段（例えば、図２１および２２のプラズマ熱源冷却手段５３およびスラグ冷却手段５５）を備えてもよく、当該手段は、生成される廃熱の量を削減することができる。そのような熱回収手段は、例えば、熱交換器を含んでよい。そのような実施例において、制御システムは、熱交換器の操作状態をさらに制御することができる。熱交換器は、例えば、多数の温度センサー、流れ制御要素、およびその他のそのような監視および制御手段２０２、２０６を有し得る。
【０１８５】
スラグチャンバーは、任意で必要となり得る付加的な構造要素／器具を収容するための一つ以上のポートを含んでもよい。例えば、スラグ出口ポート４６での閉塞形成の監視を含む、処理のすべての側面についてオペレータの完全な可視性を維持するための、複数の閉回路テレビポートを含み得る観察ポートである。別の実施例において、スラグチャンバーは、洗浄／清浄、維持管理、および修理のためにチャンバーに入ることを可能にするための修理点検ポートを含んでよい。そのようなポートは当該技術分野において既知であり、様々なサイズの密閉可能なポート孔を含むことができる。
＜熱回収サブシステム＞
ここで、図１から３、２１から２５を参照すると、本炭素質原料ガス化システム１０は、１８のような、高温生成ガスからの熱の回収のための手段も提供する。熱回収サブシステム１８は、４８のような、一つ以上のガス／空気熱交換器を備え、それによって高温生成ガスは加熱された交換空気を提供するのに使用される。続いて、（加熱された交換空気の形態で）回収された熱は、任意で、図２３および２４に特に示すようなガス化処理に熱を提供するために使用されてよく、それにより、ガス化処理を駆動するために必要な、一つ以上のプラズマ熱源１５によって提供されなくてはならない熱の量を削減する。回収された熱を、産業用または住宅用の加熱用途において使用してもよい。
【０１８６】
別の実施例において、ガス／空気熱交換器４８は、酸素または酸素富化空気等の酸化剤を加熱するために用いられ、続いて任意で、ガス化処理に熱を提供するために使用され得る。
【０１８７】
プレート型熱交換器だけでなく、直線状の単一パス設計およびＵ字管、複数パス設計双方の、シェルアンドチューブ型熱交換器を含む、異なる種類のガス／空気熱交換器４８を本システムにおいて使用してもよい。適切な熱交換器の選択は、当業者の知識の範囲内である。
【０１８８】
周囲空気入力温度および高温合成ガスにおける著しい差により、ガス／空気熱交換器４８内の各管は、管破裂を回避するために、好ましくは個別の伸縮型送風機を有する。管破裂は、ガス混合物に進入する空気に起因する問題による高い危険を提示するものである。管破裂は、単一チューブが詰まり、それによってもはや残りの管束と共に膨張／収縮しない場合に発生し得る。
【０１８９】
管漏れによる潜在的危険を最小化するために、本発明のシステムは、ガス／空気熱交換器４８の生成ガス出口と関連付けられた一つ以上の個別の温度伝送器をさらに備える。これらの温度伝送器は、合成ガス導管への交換空気漏れという事象における燃焼に起因する温度上昇を検出するように位置付けられる。そのような温度上昇の検出は、熱回収システムを通って冷却空気を移動させる誘導空気ブロワーの自動的な運動停止を引き起こすことになる。
【０１９０】
ガス／空気熱交換器４８は、シェル側ではなく管内に生成ガスを流すように設計される。一実施例において、生成ガスは「ワンススルー」設計中で、垂直に流れ、これによって、粒状物質による構築または浸食が発生し得る面積を最小化する。一実施例において、処理空気は、ガス／空気熱交換器４８のシェル側を向流的に流れる。
【０１９１】
任意で、熱回収サブシステムは、蒸気を生成するために、５０のような、一つ以上の熱回収蒸気発生器をさらに備え、当該蒸気は、図２３および２５に特に示すようなガス化反応において処理添加物として蒸気タービン５２を駆動、または、誘導ブロワー等の回転処理機器を駆動するために使用され得る。生成ガスからの熱は、熱回収蒸気発生器（Ｈｅａｔ  Ｒｅｃｏｖｅｒｙ  Ｓｔｅａｍ  Ｇｅｎｅｒａｔｏｒ；ＨＲＳＧ）（図１、２、２２）または廃熱ボイラー（図２３）等の熱交換手段５０を使用して蒸気を生成するために、水を加熱するのに使用される。一実施例において、生成ガスからの熱を使用して作り出された蒸気は、過熱蒸気である。
【０１９２】
特に図２３から２５を参照すると、４８のようなガス／空気熱交換器と５０のような熱回収蒸気発生器との間の関係が、本発明の一実施例に従って描写されている。交換蒸気は、原料の合成ガス生成物への変換を最大化するために、十分な遊離酸素および水素を確実にするためのガス化処理中に、処理蒸気添加物としても使用され得る。
【０１９３】
変換処理内で、または、回転処理機器を駆動するために使用されない蒸気は、５２のような蒸気タービンの使用による、もしくは地域の加熱用途における電気の産出等、その他の商業目的のために使用されることができ、または、それらの目的のために地域産業顧客に支給されることができ、または、タール砂からの油の抽出を向上させるために使用されることができる。
【０１９４】
一実施例において、熱回収蒸気発生器（またはＨＲＳＧ）５０は、ガス／空気熱交換器４８からの下流に配置されている。別の実施例において、本システムにおいて用いられるＨＲＳＧ５０は、シェルアンドチューブ型熱交換器である。ＨＲＳＧ５０は、合成ガスが管を通って垂直に流れ、シェル側で水が沸騰するように設計される。
【０１９５】
ガス／空気熱交換器４８およびＨＲＳＧ５０は、生成ガス中には何らかの粒状物質が存在することを理解のもとで設計されている。粒子サイズは、通常、０．５乃至３５０ミクロンである。一実施例において、ここでの生成ガス速度は、浸食を最小化しながら、管の自己清浄に十分高いレベルに維持もされる。
【０１９６】
出て行く生成ガスの温度が所定の限界を超える場合、これは、管が詰まり始めていることを示している可能性があり、そのときにシステムは維持管理のために運転を中止せねばならない。熱交換器には、必要に応じて、導管の修理および／または清浄だけでなく、器具の使用、検品、および維持管理用のポートが設けられる。
【０１９７】
本発明の一実施例において、システムは、間欠的に作動する、すなわち、必要に応じて、多数の起動および遮断サイクルを受ける。従って、機器は、繰り返される熱膨張および収縮に耐えるように設計されなくてはならないことが重要である。
【０１９８】
加熱された交換空気および熱回収システムによって作り出された蒸気だけでなく、高温生成ガスから回収され得る顕熱の量を最大化するために、コンポーネント間の導管には、任意で周囲の環境への熱損失を最小化するための手段が設けられる。熱損失は、例えば、当該技術分野では既知のもののような絶縁材料を備える導管周囲の絶縁障壁の使用によって、または、導管の長さを最小化するようにプラントを設計することによって、最小化され得る。
【０１９９】
図１および２６を参照すると、本システム１０の一実施例において、様々な蒸気タービン５２の出力から取り戻された蒸気（例えば、合成ガス（線８６）を冷却するために使用されるＨＲＳＧ５０によって生成された蒸気から操作する蒸気タービン、ガスタービン／エンジン２４およびそれによって生成された排ガス（線８８）を冷却するために使用されるＨＲＳＧ５０によって生成された蒸気から操作する蒸気タービン、またはそれらの任意の組み合わせ）は、さらなる熱交換器９０によって冷却され、冷却塔ポンプ等によって供給される。交換機９０から出ると、冷却された蒸気／水は脱気器９２によって汲み上げられ、空気およびそこからの過剰な酸素を除去し、続いて処理されて、排ガスＨＲＳＧ５０（線９４）、合成ガスＨＲＳＧ５０（線９６）等のボイラー給水に戻るために、適切な化学物質を伴う軟水源によって供給される。
【０２００】
上記で提示したように、本ガス化システム１０は、システム全体にわたるエネルギーの伝達を最適化するための統合制御サブシステム２００も備え、それによって、原料／エネルギー変換のエネルギー収支を管理する。ガス化処理に戻る回収された顕熱の再生利用は、原料を乾燥および揮発させるステップのために外部電源から必要とされるエネルギー入力の量を削減するため、原料／エネルギー変換のエネルギー収支は、本システムを使用して最適化され得る。回収された顕熱は、特定の性質の合成ガスを実現するために必要とされるプラズマ熱の量を最小化するのにも役立ち得る。このように、本発明は効果的な炭素質原料のガス化を可能にし、任意で、生成ガスから回収された顕熱を使用して加熱された空気によってガス化熱源が補足され得る。
【０２０１】
本発明の効率を最適化するために、統合制御サブシステム２００は、任意で、本発明によるシステムの操作状態だけでなく、本処理が実行される状態を制御するための手段も提供する。これらの制御手段は、全体統合制御サブシステム２００に組み込まれてよく、システム全体にわたる特定の場所における温度およびガス流れ速度を含むがこれらに限定されない一つ以上のパラメーターを監視し、定義されたパラメーター内にシステムを維持するよう、操作状態を適宜調整するために提供される。制御手段２０６を介して制御手段によって調整され得る操作状態の例は、一つ以上の交換気流れ速度、生成ガス流れ速度、原料入力の速度、蒸気等の処理添加物の入力の速度、および、プラズマ熱源１５、４４への電力等を含む。
【０２０２】
例えば、温度伝送器（およびその他のそのような監視手段２０２）は、システム１０の全体にわたり、特定の場所に設置され得る。温度伝送器は、ＨＲＳＧ吸入口および出口における生成ガスの温度だけでなく、例えばガス／空気熱交換器吸入口および出口における生成ガスの温度を測定するために、配置され得る。温度伝送器は、ＨＲＳＧ５０を出た際の蒸気の温度を測定するだけでなく、ガス／空気熱交換器４８内で加熱した後の処理空気の温度を測定するために提供されてもよい。
【０２０３】
これらの温度測定を使用して、それぞれの熱交換器に入る際の合成ガスの温度が、当該装置の理想的操作温度を超えないことを確実にすることができる。例えば、ガス／空気熱交換器４８の設計温度が１０５０℃である場合、熱交換器への吸入口ガス流上にある温度伝送器を使用して、最適な合成ガス温度を維持するために、システムを通る交換空気流れ速度およびプラズマ火力の両方を制御することができる。さらに、生成ガス出口温度の測定は、最適な量の顕熱が両方の熱回収段階で生成ガスから回収されたことを確実にするために有用となり得る。
【０２０４】
加熱された交換気の温度を測定するために空気出口流に設置された温度伝送器は、ガス化処理で使用するのに適した温度まで処理空気を確実に加熱する条件下で、処理が実行されることを確実にする。一実施例において、交換気出口温度は例えば約６００℃であり、従って、空気出口流に設置された温度伝送器は、最適な合成ガス入力温度を維持するために、システムを通る空気流れ速度およびプラズマ改質チャンバー中のプラズマ熱源動力の一つまたは両方を制御するために使用されることになり、続いて、加熱された交換気の温度を制御するために使用され得る。
【０２０５】
本発明の一実施例によると、制御戦略では、ＨＲＳＧガス出口温度の固定値、例えば約２３５℃だけでなく、最適な加熱された交換気出力温度のための固定の設定値、例えば約６００℃を設定している。従って、この実施例によると、合成ガス流れが削減される場合、ガス／空気熱交換器４８の出口ガス温度はより低温になり、ＨＲＳＧガス出口温度も固定値に設定されていることによって、蒸気産出の減少をもたらす。
【０２０６】
システムを通る空気流れが削減される場合にも同じ概念が当てはまる。本発明の一実施例によると、出口交換気温度は固定されたままであるため、ガス／空気熱交換器４８の出口生成ガス温度はより高温になり、従って、ＨＲＳＧ中により多くの蒸気を作り出す。しかしながら、システムを通る空気流れが削減されると、結果として生成ガス流れも削減することになるため、ＨＲＳＧ５０への増大した吸入口温度が瞬間的に高くなるだけである。例えば、空気流れが５０％まで削減されると、ＨＲＳＧ５０が瞬間的に経験する最大吸入口ガス温度は約８００℃となり、これは熱交換器設計の温度限界内である。
【０２０７】
さらに、ガス化処理に必要とされるよりも多くの空気が予熱された場合、処理空気を大気中へ放出するための自動弁を制御するための制御手段２０６も任意で提供され、全体システム制御手段２００に組み込まれる。例えば、場合によっては、機器配慮による処理（例えば、運転停止手順を開始する際）に必要なものよりも多くのガスを加熱することが必要である。そのような場合には、必要に応じて、過剰な交換空気を放出することができる。
【０２０８】
システムは、最適な処理条件を維持するための修正手順を実装するために必要となり得るようなさらなる情報を提供するために、合成ガス構成、原料入力速度、および処理添加物入力速度（図１２および１５参照）のうち一つ以上の監視をするための手段をさらに備えてよい。様々なそのような監視手段２０２が当該技術分野で知られており、本発明のシステムにおいて用いられ得る。
【０２０９】
図２１および２２を参照すると、上述した熱回収サブシステム１８は、プラズマ熱源１５、４４（例えば、源冷却手段５３）、スラグ取り扱いおよび処理手段（例えば、スラグ冷却手段５５）等の冷却を提供するだけでなく、後に続くフィルタリングおよび調整ステップ、すなわちＧＱＣＳ２０（例えば、ＧＱＣＳ冷却手段６１）に必要とされるような生成ガスの冷却も提供し得る。
＜ガス質調整サブシステム＞
ここで図３から２７を参照すると、本炭素質原料ガス化システム１０は、ガス化処理の生成物を特定の特性の出力ガスに変換するために、ガス性質調整サブシステム（ＧＱＣＳ）２０、または、その他そのようなガス調整手段も提供する。
【０２１０】
ＧＱＣＳ２０を通って生成ガスが通過することにより、生成ガスには化学および粒状汚染物質がないことを確実にし、従って、エネルギー生成システムまたは化学物質の製造において使用され得る。この調整ステップは、エネルギーの生成または化学物質の製造を目的として有さない本発明の実施例においても必要とされ得る。例えば、ガス質調整サブシステム２０による生成ガスの処理は、地方排ガスン基準の厳守を維持しながら、排出機構を通って生成ガスが開放され得ることを確実にすることができる。
【０２１１】
一実施例において、本発明のガス化システム１０の目的は、再生可能電気エネルギーの産出のために、ガスタービン２４に供給するのに適した特定の特性（すなわち、構成、発熱量、純度、および圧力）を持つ燃料ガスを作り出すことである。燃料は、本明細書で記載する処理を通して炭素質原料の熱分解／ガス化によって生成されるため、ガスタービンの正常で安全な操作に適さない、ある量の廃棄不純物、微粒子、および／または酸化ガスが存在することになる。
【０２１２】
生成ガスはＧＱＣＳ２０へ方向付けられ、そこで、下流用途に必要とされる特性を有する出力ガスを作り出すための、特定の一連の処理ステップに供される。上記で簡単に説明したように、ＧＱＣＳ２０は、合成ガスからの、粒状物質５４、酸化ガス（ＨＩＣ、Ｈ2Ｓ）５６、および／または重金属５８の除去、もしくは、ガスがシステムを通過する際にその湿度および温度を調整することを含み得るがそれらに限定されない処理ステップを実行するコンポーネントを含む。必要とされる処理ステップの存在および順序は、合成ガスの構成および下流用途用の出力ガスの特定の構成によって決定される。上記で提示したように、システム１０は、ＧＱＣＳ処理を最適化するための統合制御サブシステム２００も備える。
【０２１３】
一実施例において、ガス化システムの誘導ファンの真空抽出条件下で、ガス化システムの出ガス出口４０を介して、ガス化システムから高温生成ガスが継続的に引き抜かれる。パイプまたはその他の導管等のガス伝達手段は、ガス化チャンバー１４からＧＱＣＳ２０へガスを伝達するために使用される。
【０２１４】
一次ＧＱＣＳおよび二次ＧＱＣＳ等、一つ以上のＧＱＣＳ２０が使用され得ることも考えられる。この場合、二次ＧＱＣＳは、一次ＧＱＣＳ内のガス流から除去された粒状物質および重金属等の材料を処理するために使用され得る。ＧＱＣＳ２０からの出力ガスは、ガス貯蔵タンク２３（図２）内に貯蔵され、均質化チャンバー２５（図３）等のさらなる処理手段を通して供給される、あるいは、そのために設計された（すなわち、図１）下流用途に直接供給されることができる。
【０２１５】
上述したように、そのような調整ステップの前に高温生成ガスを冷却するための手段を提供することが有利である。この冷却ステップは、システム内の熱に弱いコンポーネントへの損傷を防止するために必要とされ得る。一実施例において、冷却ステップは、熱回収サブシステム１８によって実行され、それによって、生成ガスから回収された熱を任意で回収し、ガス化処理での使用に再生利用することもできる（図２３から２５参照）。
【０２１６】
別の実施例において、ガス化システムからのガスはまずクエンチャー（図３）等の蒸発器内における直接水蒸発によって冷却される。さらに別の実施例において、ガス化システムからＧＱＣＳ２０へ入る合成ガスを冷却するために蒸発冷却塔（乾式急冷−図３）が使用され得る。蒸発冷却塔は、合成ガスの温度を約７４０℃から約１５０〜２００℃に冷却することができる。この処理は、制御された方法でガス流への水の直接噴射を伴う断熱飽和を使用することによって実現され得る。蒸発冷却処理は乾式急冷処理であり、冷却されたガスに湿気がないこと、すなわち、冷却されたガスの相対湿度が、冷却された温度でも依然として１００％を下回ることを確実にするために、監視され得る。
【０２１７】
上述したように、ＧＱＣＳ２０は、電気を作り出すためのガスタービン２４内での燃焼、または、さらなる化学産出処理中における原料２８（図２）等、生成ガスの下流使用に適合しないガス状汚染物質だけでなく、任意で冷却されたガスから粒状物質を除去するための、５４のような手段を備えてよい。微粒子除去システム５４は、変換機を出る燃料ガス中に同伴され得る微粒子を除去するために組み込まれる。微粒子除去システム５４は、広く利用可能であり、例えば、ガス調整の実務者に既知である、高温度（セラミック）フィルタ、サイクロンセパレータ（図６）、ベンチュリスクラバー（図６）、エレクトロフィルタ、キャンドルフィルタ、直交流フィルタ、粒状フィルタ、水洗浄装置、または繊維バグハウスフィルタ（図３）等を含み得る。
【０２１８】
当該技術分野において知られているように、微粒子は、微粒子サイズに応じて多数の手法で除去され得る。例えば、粗粒子は、サイクロンセパレータまたはフィルタを使用して除去され得る。より小さいまたは細かい粒子は、湿式ＥＳＰまたはバグハウスフィルタ（図３）を使用して除去され得る。一実施例において、それを１０ｇ／Ｎｍ3ほど装填した微粒子では、９９．９％の効率で粒状物質を除去する物理的障壁が必要とされ得る。湿式ＥＳＰは静電場によって駆動され、酸素含有量が特定のレベルに到達したら電流を止める制御機構がないと、高酸素含有量のガス流と共に使用するには適さない場合がある。
【０２１９】
一実施例において、第一の粒子除去手段は粗粒子を除去するために使用され、第二の粒子除去手段はより小さいまたは細かい粒子を除去するために使用される。一実施例において、第一の粒子除去手段は、５〜１０ミクロンより大きいサイズの粒子を除去することができるサイクロンフィルタである。別の実施例において、第二の粒子除去手段は、バグハウスフィルターである。
【０２２０】
代替的な実施例では、代替的なガス清浄装置の特性をより効率的に使用するために、様々なガス清浄化ステップの順序を変更する場合がある。しかしながら、用いられる特定の微粒子除去システムによっては、上述したような微粒子除去システム５４に入る前に、反応槽１４を出る燃料ガスを冷却することが望ましい場合もある。バッグ型フィルタはセルロースまたは有機ポリマーベースであることが多く、極めて高い温度に耐えることができないため、燃料ガスの冷却は、微粒子除去にバッグ型フィルタが使用される場合に特に重要なものとなり得る。
【０２２１】
続いて、粉塵が収集され、ガス調整システム２０内で有害の固体廃棄物が作り出されたり、または生成されるように、ガス化反応槽１４へ送り返され得る。もう一つの方法として、微粒子は、洗浄装置の固体を未浸出のスラグにガラス化するために、スラグ貯留槽（図３参照）へ方向付けられ得る。場合によっては、植物配慮および地方の規制に応じて、ガス清浄化システムからの固体は、安全な廃棄のために現地外へ送られる場合がある。
【０２２２】
生成ガスから水銀またはその他の重金属を除去するための、５８のような手段が提供される場合もある。例えば、乾式噴射システムでは、細かい重金属粒子および噴煙が活性炭表面に吸着できるような十分な滞留時間でガス流中に噴射される、計算された量の活性炭を利用する。活性炭に吸着された重金属は、バグハウスフィルター内に捕捉され得る。もう一つの方法として、活性炭に吸着された重金属を捕捉するために、湿式ＥＳＰシステムを使用してもよい。本発明の一実施例において、活性炭に吸着された重金属粒子は、バグハウス内に捕捉される。
【０２２３】
酸洗浄システムも、重金属を捕捉するために効果的な技術である。このシステムでは、重金属を含有するガスの通路が、低ｐＨ（通常１〜２）溶液が循環する充填カラムを通過することが必要である。重金属および重金属化合物は、酸と反応して、安定な化合物を形成する。この技術により、循環溶液中の重金属濃度は増大し、従って、結果として生じる廃水の処理が必要となる場合がある。一実施例において、ＧＱＣＳ２０は、重金属を除去するための酸洗浄システムを備える。
【０２２４】
一実施例において、活性炭水銀研磨器（図３）によって水銀除去手段が提供される。活性炭ろ床を、重金属用の最終研磨装置として使用することができる。生成ガスは、ガス流から重金属（主に水銀）を吸着する活性炭ろ床を通過する。通常、活性炭フィルタは、水銀の９９．８〜９９．９％を超える除去を実現するために使用され、７〜８インチのＷＣ圧力降下を伴う最終研磨装置として使用される。
【０２２５】
酸回収サブシステム５６は、市価を有し得る、硫酸および（塩素化炭化水素から）塩酸を回収するための、ガス調整システム２０に連結される。酸除去システム５６は、洗浄装置システム（すなわちＨＣＩ洗浄装置５７−図３）と、酸除去システムと、硫黄および／または酸除去システムに関連するその他の従来の機器を含み得る。
【０２２６】
石炭ガス化システム内で作り出された生成ガスは、ＨＣｌおよびＨ2Ｓ等の酸化ガスを含有することになる。生成ガス中のこれらの酸化ガスの濃度は、ＨＣｌについては約０．０５から約０．５％、Ｈ2Ｓについては約１００ｐｐｍから約１０００ｐｐｍの範囲である。一実施例において、ＨＣｌの見込み濃度は約０．１７８％であり、Ｈ2Ｓは約６６６ｐｐｍ（０．０７％）である。ＨＣｌの排ガス限度は約５ｐｐｍであり、一方、ＳＯ2の場合は約２１ｐｐｍである。
【０２２７】
酸化ガス除去は、乾式洗浄または湿式洗浄によって実現され得る。乾式洗浄の主なコンポーネントは、噴霧乾燥吸収装置、および、バグハウスろ過の前の、ソーダ灰または石灰粉噴射である。通常、乾式洗浄では、９９％を超える酸除去効率を実現することは困難である。
【０２２８】
塩素の量が経済的に大きいサイズのものである場合、当該塩素は再利用され得る。塩素が多すぎる量で存在する場合、任意の適した方法（例えば、水または湿式洗浄、活性ボーキサイト吸着等）で除去される。ガスは、ガス／液体洗浄装置接触器（すなわち、ＨＣＩ洗浄装置５７）内の塩素等の成分を除去するために処理され得る。湿式洗浄の最も大きな利点は、ガスのサブ冷却を助ける圧力降下がより低い、熱伝達および質量伝達用の、大きい接触面積である。水酸化ナトリウムは、湿式洗浄に使用される従来型のアルカリ溶液である。一実施例において、酸化ガスを洗浄するために、充填カラムが使用される。
【０２２９】
硫黄化合物は、まず初めに再結合する化合物のうちの一つであり、硫黄元素、硫黄‐酸素化合物、または硫黄‐水素化合物のいずれかとして再結合する。硫黄化合物の量がコストを正当化する一実施例において、７６のような硫黄回収施設が、熱交換器に隣接し硫黄化合物が安定となる温度に到達する場所にある、導管に沿って位置付けられる。硫黄回収施設７６の種類およびサイズは、吸入口流における硫黄の見込み量によって決まる。
【０２３０】
硫黄の予想量がかなり低い場合には、硫黄を元素鉄と反応させて硫化鉄を作り出すために、鉄ヤスリ技術が使用され得る。これは、導管内の分画と回収分画との間で鉄ペレットを循環させることによって達成され得る。
【０２３１】
高硫黄含有原料の場合、第二段階の液体洗浄処理を使用して、硫黄化合物をガスから取り除く。硫黄は、給気口流に含まれると想定される硫黄量に応じて、任意の適切な技術によって回復されてもよい。さらに下流で、アミンスクラバーが硫化水素および二酸化炭素をガス流から取り除き、気流が主に水素、一酸化炭素、および不活性ガスを含むようにする。そのようなアミンスクラバーは当該技術分野において知られており、一般にアミン処理を含む。ここでモノエタノールアミン、ジエタノールアミン、またはメチルジエタノールアミンの水溶液を使用して、硫化水素を処理ガスから取り除く。硫黄を除去する他の方法には、例えば、Ｃｌａｕｓプラント、Ｒｅｓｏｘ還元処理、コールドプラズマ硫化水素解離処理などが挙げられる。
【０２３２】
さらに、硫黄の除去に適した方法には、例えば、ＮａＯＨまたはトリアジンを用いた湿気吸収、Ｓｕｆａｔｒｅａｔを用いたドライ吸着、Ｔｈｉｏｐａｑなどの生物学的処理、あるいは液体レドックス（低ＣＡＴ）を含む選択的酸化などが含まれる。一実施例において、硫化水素はＴｈｉｏｐａｑを用いて合成ガスから取り除かれる（図３を参照）。Ｔｈｉｏｐａｑは二段階処理であり、ここで酸性ガスが弱アルカリ溶液（ｐＨ８．５〜９）で洗浄され、続いて硫黄が回復される（ＨＳ−は生物学的処理によって酸化されて硫黄元素になる）。その他の方法は、移動床チタン酸亜鉛またはフェライト吸着処理、酸化化学反応処理（例えばＳｔｒｅｔｆｏｒｄおよびＳｕＬＦｅｒｏｘ）、およびＳｅｌｅｘｏｌ酸除去処理を含むが、それらに限定されない。そのうち後者は一般に、物理的溶媒（例えばポリエチレングリコールジメチルエーテル）を高圧力（例えば３００〜１０００ｐｓｉｇ）で使用するステップを含む。
【０２３３】
さらに、触媒として作用する炭素の存在下、２５０℃〜３５０℃でダイオキシンが形成される場合もあるが、プラズマガス化状態がその形成を妨げることが知られている。ダイオキシンの形成をさらに最小化するため、一般に合成ガスを急冷器またはスプレー乾燥吸収装置において急冷して、上述の温度範囲で確実に高速急冷が行われるようにする。活性炭を合成ガスに注入することによって、炭素表面上のダイオキシンおよびフランが吸収され、その後バグハウスフィルターで除去される。
【０２３４】
霜取り装置または再熱器を脱湿および／または凝縮防止の目的で組み込むこともできる。熱交換器を組み入れて、下流発電装置に必要な吸気温度まで燃料ガスを再加熱できる。圧縮機を随意に組み込んで、下流発電装置に必要な吸気圧力まで燃料ガスを圧縮することもできる。
【０２３５】
さらに別の実施例において、湿度制御手段はＧＱＣＳ２０の一部である。前記湿度制御手段は、必要な下流用途に対して出力ガスの湿度が適切となるようにする。例えば、湿度制御手段は冷却器を装備してガス流を冷却し、それによっていくらかの水をガス流から凝縮してもよい。この水は、ガス／液体分離器によって取り除くことができる。一実施例において、そのようなガス流処理によって、ＧＱＣＳ２０から出るガス流が２６℃で約８０％の湿度を持つようにする。次にガスを、例えばガス貯蔵装置２３（図２）に保存する。
【０２３６】
別の実施例において、前記ガス処理システムは、二酸化炭素を回復する手段および／またはアンモニアを回復する手段を含むことができる。適切な手段は、当該技術分野で知られている。
【０２３７】
生成ガスはまた、化学構成を決定するためのガスクロマトグラフィ（ＧＣ）分析用にサンプリングされる。これらの分析のサンプル点は、生成ガス取り扱いサブシステム／汚染対策サブシステム全体にわたっている。
【０２３８】
一実施例において、管理サブシステム２００は、ＧＱＣＳ２０における操作状態を含む、変換システムにおける操作状態を調整する手段を含むことによって、変換処理の正味全体エネルギーを収支を管理し、炭素質原料を特定の化学および物理構成を持つ生成ガスに変換する間、反応状態に対する設定点を特定の変動範囲内に維持する。このシステムは自動化され、様々なガス化システムに適用できる。
【０２３９】
前記管理サブシステム２００は、次の機能を提供することができる。一実施例において、管理サブシステム２００は、ＧＱＣＳ２０の処理における効率の低下または代替機能の欠如を感知して、ガス流をバックアップ処理またはバックアップ調整システムに迂回させることができる。別の実施例において、前記管理サブシステム２００は、ＧＱＣＳ２０のステップを微調整して、最適状態からのドリフトを最小限にする手段を提供することができる。
【０２４０】
本発明の管理サブシステム２００は、ＧＱＣＳ２０を通るガス流の化学構成、ガスの流れ、および処理の温度パラメーターを分析する監視手段２０２と、ＧＱＣＳ２０内の状態を調節して処理効率および出力ガスの構成を最適化する制御手段２０６とを含むことができる。反応物質に対する継続調節（例えば十分な滞留時間を伴う活性炭素の注入、ＨＣＩスクラバー用のｐＨ制御）は、設計仕様に従って効率よく最適に処理が行われる方法で実行することができる。
＜生成ガスを制御するためのサブシステム＞
本ガス化システムは、例えば生成ガスの化学構成を均質化し、生成ガスの流れ、圧力、および温度などの他の特性を下流要件に合うよう調整することによって生成ガスを制御する手段を随意に提供する。この生成ガス制御サブシステム２２は、定義された特性を持つ連続的で安定したガス流が、ガスタービン２４またはエンジンなどの下流用途に送達されるようにする。
【０２４１】
当業者に理解されるように、前記ガス化処理は構成、温度、または流速が変動するガスを生成する可能性がある。生成ガスの特性における変動を最小化するため、一貫した特性を持つ生成ガスを下流装置に送達するために有用な収集手段の形でガス制御サブシステム２２が任意で供される。
【０２４２】
一実施例において、本発明はガス化処理のガス状生成物を収集し、均質化チャンバー２５などにおけるガス構成化学の変動を抑えるガス制御システム２２を提供する。このシステムの他の要素は、流れ、温度、および圧力といったガスの特性が下流アプリケーションに対して受け入れられる範囲内にあるよう随意に調整する。それによって、前記システムは生成ガスの特性を制御し、一貫した特性を持つガスの連続的な流れを生成して、ガスエンジンまたはガスタービン２４などの下流用途に送達する。
【０２４３】
特に、本発明の任意の生成ガス制御サブシステム２２は、一貫した出力構成の均質化ガスを得るために十分な滞留時間に対応するよう設計された寸法を持つガス均質化チャンバー２５（図３）または同種のもの（例えば図３のガス圧縮機２１、図２のガス貯蔵装置２３など）を提供する。本ガス制御システムの他の要素は、下流用途のガス性能要件を満たすよう設計されている。またこのシステムは管理サブシステム２００を備え、処理のエネルギーおよび出力を最適化する。
【０２４４】
本発明の制御システムに入る生成ガスの構成は、ガス化処理において特定される。ガス化処理中に行われる調節によって、生成ガスを特定の用途に最適化することができる（例えばガスタービン２４または発電用燃料電池アプリケーション２６）。従って、使用される異なるタイプの原料および処理添加物に基づいて、ガス化処理の操作パラメーターを調整することにより、生成ガスの構成を特定のエネルギー生成技術（例えば特定のガスエンジンまたはガスタービン２４）用、および最善の全体変換効率を得るよう調整できる。
【０２４５】
前記ガス化システムから出る生成ガスは、定義された目標構成の範囲内であるかもしれないが、時間の経過に伴って、原料構成および供給量などのガス化処理における可変性、および空気の流れや温度の変動のために生成ガスの特性は変動する可能性がある。
【０２４６】
生成ガスの構成制御と同様に、例えば監視手段２０２を介して、生成ガスの流速および温度を監視し、例えば調節手段２０６を介してガス化システム内で制御して、ガスのパラメーターを最終用途に基づいて定義された許容範囲内に維持できる。こうした制御にかかわらず、生成ガスの流速および温度は時間の経過に伴って変動する。流速の場合、このような変動は秒単位で起こり、温度の場合は分単位で起こることがある。標準的な流速変動は７２００Ｎｍ3から９３００Ｎｍ3である。
【０２４７】
本発明の制御システムにおいて、生成ガスを特定の用途の装置に対する要件を満たす特定の構成を持つガスに変換できる。前記制御システムは、生成ガス吸気手段、調節ガス排気手段、および任意で非常用出口を持つ一つ以上のガス均質化チャンバー２５などを備える。
【０２４８】
生成ガス均質化チャンバー２５は、ガス化システムで作られた生成ガスを受け取り、前記生成ガスの混合を促進して、前記均質化チャンバー２５における生成ガスの化学構成の任意の変動を抑える。圧力、温度、および流速などを含む他のガス特性の変動も生成ガスの混合中に低減される。
【０２４９】
前記均質化チャンバーの寸法は、チャンバーのサイズをできるだけ最小化する目的で、上流ガス化システムの性能特性および下流装置の要件に従って設計される。前記ガス均質化チャンバー２５は、ガス化処理から生成ガスを受け取り、特定の滞留時間ガスを保持してガスを十分に混合し、一貫した化学構成を持つガスを大量に得ることができるよう設計される。
【０２５０】
前記滞留時間は、生成ガスが前記下流装置に向けられる前に、前記均質化チャンバー２５に留まる時間である。前記滞留時間は関連するガス化システムの応答時間に比例し、ガス化反応における変動の差異を訂正して、受け入れられる許容値内のガス構成が得られるようにする。例えば、前記ガス構成が、特定の下流用途に受け入れられるガス構成の許容範囲内であるかを特定するとともに、ガス化処理に対して任意の調節を行って差異を訂正するために十分な時間、均質化チャンバー２５に保持される。
【０２５１】
さらに、前記均質化チャンバー２５における生成ガスの滞留時間は、生成ガス特性の変動量によって特定される。つまり、生成ガス特性における変動が小さいほど、その変動を訂正するために必要な均質化チャンバー２５での滞留時間が短くなる。
【０２５２】
例えば、発電するために、ガスエンジンは本ガス化システムとともに使用するために選択されてよい。選択されたガスエンジンは有する。
本発明の制御システムを出る調節ガスは、下流アプリケーションの仕様に適う安定した特性を持つ。一般に機械製造業者は、特定の機械に受け入れられる、当業者に周知の要件および許容範囲を提供する。
＜ガス化システムの使用／処理＞
本発明に基づくシステムは、一般に原料をガス化反応槽１４に運ぶステップを含む、原料のガス化処理を使用して炭素質原料をガス化する。ここで、石炭が加熱されると、乾燥原料に含まれる乾燥した揮発性構成要素が揮発する。本発明の一実施例において、熱せられた空気を使用して、結果として生じた炭化物をさらにそのガス状構成要素に完全変換して、灰生成物を残す。乾燥、揮発、および燃焼ステップの複合生成物はオフガスを提供し、このオフガスはさらにプラズマ熱源１５からの熱を受けて、一酸化炭素、二酸化炭素、水素、および蒸気から成る熱いガス状生成物に変換される。ガス化段階および／またはオフガス変換段階において、蒸気および／または空気／酸化処理添加物を随意に追加してもよい（すなわち、添加物入力手段３８を介す）。
【０２５３】
本発明の一実施例における処理は、前記生成物灰を第二プラズマ熱源４４によって加熱してスラグ生成物を形成するステップをさらに含む。
本発明の処理は、高温生成ガスを熱交換サブシステム１８に通し、前記高温ガスからの熱を冷却体に伝送するステップをさらに含む。一実施例において、冷却体は空気である。
【０２５４】
本発明の処理は、冷却ガス生成物を第二熱交換器１８に運び、水である冷却体に冷却ガスからの熱を移し、さらに冷却されたガス生成物および蒸気を生成するステップを随意に含む。
【０２５５】
本発明の処理は、消費されるべき電気量をオフセットすることによって、正味変換効率を最大化して、例えばガス化処理を駆動する熱を生成し、回転装置を駆動して、プラズマ熱源１５、４４に電力を供給する。発電を目的とする用途の場合、ガス化処理全体で消費されたエネルギーと、生成ガスを使用して生成されたエネルギー量（例えばガスタービン２４に電力を供給するためのエネルギー、または燃料電池技術２６に含まれるエネルギー）および蒸気タービン５２を駆動するための蒸気を生成する顕熱の回復を通じて生成されたエネルギー量と、を比較することによって効率を測定する。
【０２５６】
ガス化処理は、原料の入力速度、生成ガスの流速、空気／酸化剤および／または蒸気処理添加剤の入力速度、炭素を多く含む添加物の入力速度、およびプラズマ熱源に供給される電力量のうち一つ以上を、生成ガスの流速、温度、および／または構成において測定された変化に基づいて調節するフィードバック制御ステップをさらに含む。このフィードバック制御ステップによって、生成ガスの流速、温度、および／または構成を許容範囲内に維持することができる。
【０２５７】
本発明の一実施例において、前記処理は、ガス化反応槽１４への添加に先立って、原料を事前に加熱するステップをさらに含む。
一実施例において、本発明に基づくガス化処理は、ガス／空気熱交換器４８からの熱せられた空気または他の酸化剤を使用して、ガス化反応槽を炭素質原料のガス化に適切な温度に加熱する。一般にシステム１０の起動時に使用されるこの実施例において、空気がシステムに供給され、それにより、プラズマ熱によって加熱され、熱い起動ガスを提供し、次にガス／空気熱交換器４８に入って熱せられた空気を生成する。この熱せられた空気は加熱空気吸気手段に運ばれ、ガス化反応槽１４を加熱して、化石燃料を使用せずに処理全体を行えるようにする。
【０２５８】
ここで、特定の例を参照して本発明を説明する。次の例は本発明の実施例について説明することを意図するもので、当然のことながら、いかなる方法においても本発明は制限されない。
＜例＞
一般に、本発明のシステムは、適宜プラズマ熱源１５、熱せられた空気、または任意の他の熱源などの熱源からの熱とともに、炭素質原料をガス化反応槽１４に供給することによって使用される。ここで原料は十分な熱を受けてガス化反応を実現する。
【０２５９】
原料の加熱によって、任意の残留水分が取り除かれ、任意の揮発性構成要素が揮発されることにより、部分的に酸化された炭化生成物が提供される。この部分的に酸化された炭化生成物をさらに加熱すると、炭化物はそのガス状構成要素に完全に変換され、灰生成物が残る。それが、その後さらに加熱されると、スラグに変換される。
【０２６０】
ガス化反応槽に酸素を追加注入して、一酸化炭素、二酸化炭素、および炭素粒子を生成する発熱反応を開始または増加させる。加熱処理された空気によって随意に提供される熱に伴う発熱反応によって、ガス化反応槽１４内の処理温度が上昇する。
【０２６１】
一実施例において、前記処理温度は約１００℃〜約１０００℃であるが、それより低い温度および高い温度も考えられる。本発明の一実施例において、処理には平均ガス化温度が採用され、反応槽内の温度は約７００℃＋／−１００℃である。
＜再構成＞
前記ガス化反応槽１４において形成されるオフガスは、プラズマ熱源１５を用いてさらに加熱され、随意に蒸気で処理される。これらの反応は主に吸熱性である。本発明の一実施例において、特定のガス生成物への変換を確実にするため、適切なレベルで反応を維持し、それと同時に、汚染を最小化できるように、温度は十分に高い範囲で維持される。一実施例において、温度範囲は約９００℃〜約１３００℃である。熟練者であれば、適切な温度範囲を容易に特定できる。
【０２６２】
再構成ステップで追加される蒸気は、特定の構成を持つガス生成物を形成する一方、ガスの出口温度を下げる働きがある。一実施例において、生成ガスの出口温度は約９００℃〜約１２００℃の間まで低下する。別の実施例において、生成ガスが流出する際の平均温度は約１０００℃＋／−１００℃まで下がる。
【０２６３】
生成ガスは約８００度から約１１００度の温度でプラズマ改質ゾーンを出る。高温合成ガスの流速は約６０００Ｎｍ3／ｈｒから約９５００Ｎｍ3／ｈｒ、好ましくは約７９５０Ｎｍ3／ｈｒである。高温生成ガスは、その後ガス／空気熱交換器４８内を通過する。
【０２６４】
高温生成ガスを冷却するために熱交換器１８が使用される本発明の一実施例において、空気は、周囲温度、すなわち約−３０から約４０度でガス／空気熱交換器４８に入る。空気は空気ブロワーを使用してシステムを循環し、約３０００Ｎｍ3／ｈｒから６０００Ｎｍ3／ｈｒの速度で、好ましくは約４０００Ｎｍ3／ｈｒから４５００Ｎｍ3／ｈｒの速度で、さらに好ましくは４３５０Ｎｍ3／ｈｒの速度でガス／空気熱交換器に入る。
【０２６５】
典型的な一実施例において、炭素質原料、酸素、およびプラズマ熱源１５への電力量は、出口合成ガスの流速、出口温度、および構成の監視に基づいて特定されてよい。
特に図１４および１５に関連して、ライン１００および１０２を介する出口ガスに含まれる一酸化炭素および二酸化炭素の流速を示す数値は、ライン１０４における石炭の供給速度を示す数値（例えば制御手段２０６−１を介して取得される）とともに、第一演算処理装置（ロジックボックス３０によって示す）に入力される。前記第一演算処理装置３０はガス化反応槽４０に含まれる炭素量を推定し、それに基づいて石炭の供給速度を調整する。
【０２６６】
一酸化炭素％および二酸化炭素％を示す数値指標を提供する第一演算処理装置３０からの出力は、ライン１０８を介する水素％の数値、およびライン１１０を介する蒸気（例えば制御手段２０６−２を介する）および酸素（例えば制御手段２０６−３を介する）の数値とともに、ライン１０６を介して第二演算処理装置３２（ロジックボックス３２によって示す）に入力される。前記第二演算処理装置３２は、新しい酸素および蒸気入力を推定して、特定のガス構成を得る。
【０２６７】
前記第二演算処理装置３２からの出力は、ライン１１４を介する出口ガス温度の数値の入力表現とともに、ライン１１２を介して第三演算処理装置３４に入力される。第三演算処理装置３４は、ライン１１６を介してプラズマ熱源電力出力（例えば調節手段２０６−４に送られる）として出力する新しいプラズマ熱源電力（例えばプラズマトーチ電力）を計算する。
【０２６８】
図１から３をもう一度参照して、本発明の一実施例において、空気は熱交換器４８で熱せられて、約５００℃から約８００℃、好ましくは約５００℃から約６００℃の温度を有する熱風を生成する。高温生成ガスは、次いで、約５００℃から約８００℃、好ましくは約５００℃から約７３０℃の温度まで冷却される。熱風は任意でガス化反応槽１４で使用され、上記のように炭素質原料をガス化する。
【０２６９】
さらに顕熱は、当該顕熱が熱回収蒸気発生器（ＨＲＧＳ）５０の使用を介してガス／空気熱交換器４８から出た後に、生成ガスから回収される。生成ガスは、約５００℃から約８００℃の温度で、好ましくは７３０℃の温度でＨＲＳＧ５０に入る。
【０２７０】
ＨＲＳＧ５０は、熱を高温生成ガスから水入力へ移動させて、約１８０℃から約２５０℃、好ましくは２３５℃の温度を有する飽和蒸気を、約２５０ｐｓｉｇから約３５０ｐｓｉｇ、好ましくは約３００ｐｓｉｇの圧力で生成する。一実施例において、蒸気発生器への水入力は約５０℃から９５℃、好ましくは約９０℃で可能である。
【０２７１】
一実施例において、冷却された合成ガスはガス調整段階（すなわちＧＯＣＳ２０）をさらに通過する。従って、ＨＲＳＧ出口での生成ガス温度は、好ましくは２３５℃を超えるべきではない。
【０２７２】
ガス調整段階後、生成ガスは任意で均質化チャンバー２５（図３）等に保存される。
＜副生成物灰の融解＞
本発明の一実施例において、炭化物燃焼ステップの固形灰副生成物は、第二プラズマ熱源４４で融解することによって任意でさらに処理される。粒子がスラグプール内に取り込まれて全ての発揮性および炭素が完全に除去されることを確実にする場合、十分な時間が許容される。当業者によって正しく認識されるように、滞留時間は分子サイズの関数である。第二プラズマ熱源４４によって生成される熱は、スラグを均質化し高温の間に抽出することを可能にする。プラズマ熱源４４は、約１１００℃から約１６００℃の温度へスラグを熱する。一実施例において、その温度は約１４００℃から約１６５０度である。温度プロファールのこの操作は、熱およびその後のガス化反応槽１４底部のスラグを急冷するための水の浪費を回避させることができる。
【０２７３】
本発明は、ある特定の実施例を参照して説明されているが、その様々な変形は、本明細書に添付の請求に沿って本発明の開示の範囲および精神から逸脱することなく当業者に明らかとなろう。
【０２７４】
全ての特許、公開済み特許出願を含む出版物、および本明細書で参照されるデータベースエントリーの開示は、そのような特許、出版物、およびデータベースエントリーが、それぞれ参照によって明確かつ個別に組み込まれることが示されるのと同様に、それら全体が参照することによって明確に組み込まれる。
【図面の簡単な説明】
【０２７５】
【図１−３】本発明の様々な実施例による、炭素質原料から特定の構成のガスへ変換するためのシステムを示す概略図である。
【図４−９】図１から３のシステムのための様々な下流側の用途を示す概略図である。
【図１０】図１から９の前記システムと動作可能となるようにそこに連動された統合システム制御サブシステムとの間の監視および制御情報の流れを示すフローチャートである。
【図１１】図１０の前記統合システム制御サブシステムを示す概略図である。
【図１２】図１０の統合システム制御サブシステムによって、図１から９の前記システムからそれぞれ受信され、送信される典型的な監視および調節信号を示す概略図である
【図１３】図１から９の様々な装置、モジュールおよびサブシステムに対する、図１０の統合システム制御サブシステムの典型的な監視および調節アクセスポイントを示す概略図である。
【図１４−１５】図１から９のシステムのプラズマガス化槽への出力を制御するための、図１０から１３の統合システム制御サブシステムの一実施例を示す概略図である。
【図１６−２０】図１から９のシステムに使用するための、様々なプラズマガス化槽を示す概略図である。
【図２１−２３】図１から９のシステムに使用するための、典型的な熱回収サブシステムを示す概略図である。
【図２４】図２３の前記ガス／ガス熱交換器のさらなる詳細を示す概略図である。
【図２５】図２３の熱回収蒸気発生器のさらなる詳細を示す概略図である。
【図２６】図１から９、特に図１の熱回収蒸気発生器システムからの蒸気／水出力を処理するための任意の蒸気／水処理サブシステムを示す概略図である。
【図２７】図１から９のシステムの使用に適したガス質調整の構成の実施例を示す概略図である。
【図２８】図１０から１５の統合制御サブシステムに任意に使用されている、様々なプラズマガス化処理シミュレーションおよびシステムパラメーター最適化のデータ入力および出力、モデリング手段を示す概略図である。
【図２９】本発明の一実施例に従った、水平型の３ゾーンガス化槽内に発生する様々な処理を示す概略図である。
【図３０−３１】図１から９のシステムに使用するための、様々な垂直型プラズマガス化槽を示す概略図である。
【図３２Ａ−３２Ｂ】本発明の一実施例に従った、垂直型３ゾーンガス化槽内に発生する様々な処理を示す概略図である。
【図１】
2008545840.tif 000003
【図２】
2008545840.tif 000004
【図３】
2008545840.tif 000005
【図４】
2008545840.tif 000006
【図５】
2008545840.tif 000007
【図６】
2008545840.tif 000008
【図７】
2008545840.tif 000009
【図８】
2008545840.tif 000010
【図９】
2008545840.tif 000011
【図１０】
2008545840.tif 000012
【図１１】
2008545840.tif 000013
【図１２】
2008545840.tif 000014
【図１３】
2008545840.tif 000015
【図１４】
2008545840.tif 000016
【図１５】
2008545840.tif 000017
【図１６】
2008545840.tif 000018
【図１８】
2008545840.tif 000019
【図２０】
2008545840.tif 000020
【図２１】
2008545840.tif 000021
【図２２】
2008545840.tif 000022
【図２３】
2008545840.tif 000023
【図２４】
2008545840.tif 000024
【図２５】
2008545840.tif 000025
【図２６】
2008545840.tif 000026
【図２７】
2008545840.tif 000027
【図２８】
2008545840.tif 000028
【図２９】
2008545840.tif 000029
【図３０】
2008545840.tif 000030
【図３１】
2008545840.tif 000031
【図３２Ａ−Ｂ】
2008545840.tif 000032
【図１７】
2008545840.tif 000033
【図１９】
2008545840.tif 000034
【国際調査報告】
2008545840.tif 000035
2008545840.tif 000036